(57)【要約】順次まず洗濯機中で使用し、次いで濡れた布と共に乾燥機中へ運んで、布を洗浄およびコンディショニングの両方を行うために使用することができる洗濯用物品が記載される。本洗濯用物品は、好ましくは少なくとも１つの洗剤と、少なくとも１つの柔軟剤組成物を含み、それぞれが不織布基材上に表面上の区画中に固化される。最適化された物品は、片寄りのある不織布基材を含み、柔軟剤組成物は基材のロフト付の側のファイバーの内部で固化されるが、加熱された衣類乾燥機中にある間に柔軟剤は意外にも見られ、続いて基材の平坦側から出現することが見出された。
2009533569.tif 000002
【特許請求の範囲】
【請求項１】
ａ．不均一な断面を有する水に不溶性の不織布基材、
ｂ．該基材上の少なくとも１つの区画中で固化した洗剤組成物、および
ｃ．該基材上の少なくとも１つの区画中で固化した布コンディショニング組成物
を含む、布の清浄化およびコンディショニングの両方のために使用される洗濯用物品。
【請求項２】
前記不織布基材が、ポリエステル、ポリエチレン、ポリプロピレン、ポリエチレンテレフタレート、ポリブチレンテレフタレート、ナイロン、レーヨン、およびアクリル、ならびにこれらの混合物からなる群から選択されるファイバーを含む、請求項１に記載の物品。
【請求項３】
前記ファイバーが少なくとも２つの別々の平均ファイバー直径を含み、該平均直径が約１．５〜約１５デニールの範囲内で選択される、請求項２に記載の物品。
【請求項４】
前記基材が少なくとも２つのラミネートされたファイバーウェブの層を含む、請求項３に記載の物品。
【請求項５】
前記基材が主により小さいデニールおよびより密に接合されたファイバーからなる平坦側ならびに主により大きいデニールおよびより粗に接合されたファイバーからなるロフト付の側を含む、請求項４に記載の物品。
【請求項６】
前記洗剤組成物が少なくとも１つのアニオン性材料および少なくとも１つの非イオン性材料からなる、請求項１に記載の物品。
【請求項７】
前記洗剤組成物が少なくとも１つのアニオン性材料および少なくとも１つの非イオン性材料からなる、請求項５に記載の物品。
【請求項８】
前記アニオン性材料が、スルホン酸塩、硫酸塩、および脂肪酸石鹸、またはこれらの混合物からなる群から選択される、請求項７に記載の物品。
【請求項９】
前記非イオン性材料が、アルコールエトキシレート、脂肪酸アルカノールアミド、アルキルポリグルコシド、ポリオキシエチレンセチルエーテル、ポリオキシエチレンオレイルエーテル、ポリオキシエチレンステアリルエーテル、ポリオキシエチレンラウリルエーテル、ポリオキシエチレンイソセチルエーテル、ポリオキシエチレンイソステアリルエーテル、ポリオキシエチレンオクチルドデシルエーテル、ポリオキシエチレンベヘニルエーテル、ポリオキシエチレンデシルテトラデシルエーテル、ポリオキシエチレンコレステリルエーテル、ポリオキシエチレン−ポリオキシプロピレンエーテル、脂肪酸モノグリセリド、脂肪酸トリグリセリド、ポリエチレングリコール、ポリプロピレングリコール、ポリエチレングリコールモノステアレート、ポリエチレングリコールモノオレエート、ポリエチレングリコールモノラウレート、ポリオキシエチレン水素化ヒマシ油、ポリオキシエチレングリセリルモノステアレート、ポリエチレングリコールモノイソステアレート、ポリオキシエチレンヒマシ油、ポリオキシエチレンセチルエーテルステアレート、ポリオキシエチレンステアリルエーテルステアレート、ポリオキシエチレンラウリルエーテルステアレート、ポリオキシエチレンラウリルエーテルイソステアレート、ポリエチレングリコールジラウレート、ポリエチレングリコールジステアレート、ポリエチレングリコールジイソステアレート、ポリエチレングリコールジオレエート、ポリエチレンソルビタン脂肪酸エステルおよびポリエチレンソルビタン脂肪酸エステル、ならびにこれらの混合物からなる群から選択される、請求項８に記載の物品。
【請求項１０】
前記布コンディショニング組成物が第四級界面活性剤を含む、請求項１に記載の物品。
【請求項１１】
前記布コンディショニング組成物が、脂肪アルコールをさらに含む、請求項１０に記載の物品。
【請求項１２】
前記洗剤組成物が少なくとも１つのアニオン性材料および少なくとも１つの非イオン性材料からなる、請求項１０に記載の物品。
【請求項１３】
前記アニオン性材料が、スルホン酸塩、硫酸塩、および脂肪酸石鹸、またはこれらの混合物からなる群から選択される、請求項１２に記載の物品。
【請求項１４】
前記非イオン性材料が、アルコールエトキシレート、脂肪酸アルカノールアミド、アルキルポリグルコシド、ポリオキシエチレンセチルエーテル、ポリオキシエチレンオレイルエーテル、ポリオキシエチレンステアリルエーテル、ポリオキシエチレンラウリルエーテル、ポリオキシエチレンイソセチルエーテル、ポリオキシエチレンイソステアリルエーテル、ポリオキシエチレンオクチルドデシルエーテル、ポリオキシエチレンベヘニルエーテル、ポリオキシエチレンデシルテトラデシルエーテル、ポリオキシエチレンコレステリルエーテル、ポリオキシエチレン−ポリオキシプロピレンエーテル、脂肪酸モノグリセリド、脂肪酸トリグリセリド、ポリエチレングリコール、ポリプロピレングリコール、ポリエチレングリコールモノステアレート、ポリエチレングリコールモノオレエート、ポリエチレングリコールモノラウレート、ポリオキシエチレン水素化ヒマシ油、ポリオキシエチレングリセリルモノステアレート、ポリエチレングリコールモノイソステアレート、ポリオキシエチレンヒマシ油、ポリオキシエチレンセチルエーテルステアレート、ポリオキシエチレンステアリルエーテルステアレート、ポリオキシエチレンラウリルエーテルステアレート、ポリオキシエチレンラウリルエーテルイソステアレート、ポリエチレングリコールジラウレート、ポリエチレングリコールジステアレート、ポリエチレングリコールジイソステアレート、ポリエチレングリコールジオレエート、ポリエチレンソルビタン脂肪酸エステルおよびポリエチレンソルビタン脂肪酸エステル、ならびにこれらの混合物からなる群から選択される、請求項１３に記載の物品。
【請求項１５】
前記洗剤組成物が、ケイ酸塩、ホウ酸塩、炭酸塩、重炭酸塩、クエン酸塩、およびリン酸塩、ならびにこれらの混合物からなる群から選択されるビルダーをさらに含む、請求項１４に記載の物品。
【請求項１６】
前記洗剤組成物が約１０００〜約１０，０００の分子量を有するポリアクリル酸ナトリウムをさらに含む、請求項１５に記載の物品。
【請求項１７】
前記洗剤組成物が、染料、顔料、芳香剤、布柔軟剤、キレート剤、汚れ懸濁ポリマー、汚れ再沈積防止ポリマー、漂白剤、および酵素、ならびにこれらの混合物からなる群から選択される成分をさらに含む、請求項１６に記載の物品。
【請求項１８】
前記布コンディショニング物品が、染料、顔料、芳香剤、デンプン、しわ防止剤、シリコーンポリマー、およびシリコーンワックス、ならびにこれらの混合物からなる群から選択される成分をさらに含む、請求項１０に記載の物品。
【請求項１９】
前記洗剤組成物が、ドデシルベンゼンスルホン酸ナトリウムまたはドデシルベンゼンスルホン酸マグネシウム、アルキルエーテル硫酸ナトリウムまたはアルキルエーテル硫酸マグネシウム、アルキル硫酸ナトリウムまたはアルキル硫酸マグネシウム、およびナトリウム脂肪酸石鹸またはマグネシウム脂肪酸石鹸またはアンモニウム脂肪酸石鹸、ならびにこれらの混合物からなる群から選択される硫酸塩を含む、請求項１７に記載の物品。
【請求項２０】
穿孔が前記洗剤組成物区画または布コンディショニング組成物区画の間に入り、かつ残りの区画から少なくとも１つの区画離れるように、物品の長さまたは幅のいずれかを横切る穿孔をさらに含む、請求項１に記載の物品。
【請求項２１】
穿孔が前記洗剤組成物区画または布コンディショニング組成物区画の少なくとも１つを貫通するように、物品の長さまたは幅のいずれかを横切る穿孔をさらに含む、請求項１に記載の物品。
【請求項２２】
ａ．不均一な断面を有する水に不溶性の不織布基材であって、該基材は、少なくとも２つのウェブにカーディングされた少なくとも２つの平均ファイバー直径からなり、それらが一緒にラミネートされかつ熱的にまたは粉末／熱的に加工されて、主により小さいデニールおよびより密に接合されたファイバーからなる平坦側ならびに主により大きいデニールおよびより粗に接合されたファイバーからなるロフト付の側を生成する、基材、
ｂ．アルキルベンゼンスルホン酸塩、アルキルエーテル硫酸塩、アルキル硫酸塩、脂肪酸石鹸、脂肪酸アルカノールアミド、α−スルホン化脂肪酸メチルエステル、アルキルポリグリコシド、アルコールエトキシレート、スルホコハク酸塩、ベタイン、ポリエチレングリコール、ポリオキシエチレン脂肪族アルコールエーテル、脂肪族アルコール、ホウ酸塩、ケイ酸塩、炭酸塩、重炭酸塩、リン酸塩、クエン酸塩、エチレンジアミン四酢酸四ナトリウム、ニトリロ三酢酸三ナトリウム、ポリアクリル酸ナトリウム、芳香剤、および染料、ならびにこれらの混合物からなる群から選択される成分を含む、前記基材上の少なくとも１つの区画中で固化した洗剤組成物、および
ｃ．第四級界面活性剤、脂肪族アルコール、デンプン、芳香剤、ポリエチレングリコール、ワックス、染料、およびシリコーン、ならびにこれらの混合物からなる群から選択される成分を含む、前記基材上の少なくとも１つの区画中で固化した布コンディショニング組成物
を含む、布の清浄化およびコンディショニングの両方のために使用される洗濯用物品。
【請求項２３】
前記基材上の少なくとも１つの追加の区画中に塗布された追加の布処理組成物をさらに含む、請求項１０に記載の物品。
【請求項２４】
前記基材上の少なくとも１つの追加の区画中に塗布された追加の布処理組成物をさらに含む、請求項２２に記載の物品。
【請求項２５】
穿孔が洗剤組成物区画または布コンディショニング組成物区画の間に入り、かつ残りの区画から少なくとも１つの区画離れるように、物品の長さまたは幅のいずれかを横切る穿孔をさらに含む、請求項２３に記載の物品。
【請求項２６】
穿孔が前記洗剤組成物区画または布コンディショニング組成物区画の少なくとも１つを貫通するように、物品の長さまたは幅のいずれかを横切る穿孔をさらに含む、請求項２３に記載の物品。
【請求項２７】
穿孔が洗剤組成物区画または布コンディショニング組成物区画の間に入り、かつ残りの区画から少なくとも１つの区画離れるように、物品の長さまたは幅のいずれかを横切る穿孔をさらに含む、請求項２４に記載の物品。
【請求項２８】
穿孔が前記洗剤組成物区画または布コンディショニング組成物区画の少なくとも１つを貫通するように、物品の長さまたは幅のいずれかを横切る穿孔をさらに含む、請求項２４に記載の物品。
【請求項２９】
ａ．洗剤組成物を溶融する段階と、
ｂ．布柔軟剤組成物を溶融する段階と、
ｃ．不均一な断面を有する、ある長さの不織布基材を供給する段階と、
ｄ．溶融された洗剤組成物および溶融された布柔軟剤組成物の両方で前記基材のそれぞれ少なくとも１つの区画をコートし、得られた洗剤組成物区画および布柔軟剤組成物区画を冷めさせて基材上で固化させる段階と
を含む、請求項１に記載の洗濯用物品を製造する方法。
【請求項３０】
ａ．洗剤組成物を溶融する段階と、
ｂ．布柔軟剤組成物を溶融する段階と、
ｃ．不均一な断面を有する、ある長さの不織布基材を供給する段階と、
ｄ．溶融された洗剤組成物および溶融された布柔軟剤組成物の両方で、前記基材のそれぞれ少なくとも１つの区画をコートし、得られた洗剤組成物区画および布柔軟剤組成物区画を冷めさせて基材上で固化させる段階と
を含む、請求項１９に記載の洗濯用物品を製造する方法。
【請求項３１】
ａ．アニオン性材料および非イオン性材料を含む洗剤組成物を共溶融する段階と、
ｂ．少なくとも１つの第四級界面活性剤を含む布柔軟剤組成物を共溶融する段階と、
ｃ．カーディングされたファイバー層で構成された、不均一な断面および平坦側とロフト付の側との両方を有する、ある長さの不織布基材を供給する段階と、
ｄ．溶融された洗剤組成物および溶融された布柔軟剤組成物の両方で、前記基材の前記ロフト付の側のそれぞれ少なくとも１つの区画をコートし、得られた洗剤組成物区画および布柔軟剤組成物区画を冷めさせて基材上で固化させる段階と
を含む、請求項９に記載の洗濯用物品を製造する方法。
【請求項３２】
ａ．アルキルベンゼンスルホン酸塩、アルキルエーテル硫酸塩、アルキル硫酸塩、脂肪酸石鹸、脂肪酸アルカノールアミド、α−スルホン化脂肪酸メチルエステル、アルキルポリグリコシド、アルコールエトキシレート、スルホコハク酸塩、ベタイン、ポリエチレングリコール、ポリオキシエチレン脂肪族アルコールエーテル、脂肪族アルコール、ホウ酸塩、ケイ酸塩、炭酸塩、重炭酸塩、リン酸塩、クエン酸塩、エチレンジアミン四酢酸四ナトリウム、ニトリロ三酢酸三ナトリウム、ポリアクリル酸ナトリウム、芳香剤、および染料、ならびにスルホン酸塩、硫酸塩、アルコールエトキシレートおよび非イオン性材料を含むこれらの混合物からなる群から選択される成分を含む洗剤組成物を溶融する段階と、
ｂ．第四級界面活性剤、脂肪族アルコール、デンプン、芳香剤、ポリエチレングリコール、ワックス、染料、およびシリコーン、ならびにこれらの混合物からなる群から選択される成分を含む、布柔軟剤組成物を溶融する段階と、
ｃ．不均一な断面を有するある長さの不織布基材を供給する段階であって、該基材が、少なくとも２つのウェブにカーディングされた少なくとも２つの平均ファイバー直径からなり、それらが一緒にラミネートされかつ熱的にまたは粉末／熱的に加工されてカーディングされた、ファイバー層で構成された、主により小さいデニールおよびより密に接合されたファイバーからなる平坦側、ならびに主により大きいデニールおよびより粗に接合されたファイバーからなるロフト付の側を生成し、不均一な断面ならびに平坦側およびロフト付の側の両方を有する、段階と、
ｄ．溶融された洗剤組成物および溶融された布柔軟剤組成物の両方で、該基材の該ロフト付の側のそれぞれ少なくとも１つの区画をコートし、得られた洗剤組成物区画および布柔軟剤組成物区画を冷めさせて、該基材上で固化させる段階と
を含む、請求項２２に記載の洗濯用物品を製造する方法。
【請求項３３】
ａ．請求項１に記載の洗濯用物品を供給する段階と、
ｂ．ある負荷量の布を洗濯機中で前記物品を用いて洗浄する段階と、
ｃ．洗浄された布を該物品と共に該洗濯機から取り出す段階と、
ｄ．該布を該物品と共に乾燥機中へ移す段階と、
ｅ．該布を該物品と共に該乾燥機中で乾燥する段階と
を含む、布を洗浄およびコンディショニングする方法。
【請求項３４】
ａ．請求項９に記載の洗濯用物品を供給する段階と、
ｂ．ある負荷量の布を洗濯機中で前記物品を用いて洗浄する段階と、
ｃ．洗浄された布を該物品と共に該洗濯機から取り出す段階と、
ｄ．該布を該物品と共に乾燥機中へ移す段階と、
ｅ．該布を該物品と共に該乾燥機中で乾燥する段階と
を含む、布を洗浄およびコンディショニングする方法。
【請求項３５】
ａ．請求項１９に記載の洗濯用物品を供給する段階と、
ｂ．ある負荷量の布を洗濯機中で該物品を用いて洗浄する段階と、
ｃ．洗浄された布を該物品と共に該洗濯機から取り出す段階と、
ｄ．該布を該物品と共に乾燥機中へ移す段階と、
ｅ．該布を該物品と共に該乾燥機中で乾燥する段階と
を含む、布を洗浄およびコンディショニングする方法。
【請求項３６】
ａ．請求項２２に記載の洗濯用物品を供給する段階と、
ｂ．ある負荷量の布を洗濯機中で該物品を用いて洗浄する段階と、
ｃ．洗浄された布を該物品と共に該洗濯機から取り出す段階と、
ｄ．該布を該物品と共に乾燥機中へ移す段階と、
ｅ．該布を該物品と共に該乾燥機中で乾燥する段階と
を含む、布を洗浄およびコンディショニングする方法。
【発明の詳細な説明】
【技術分野】
【０００１】
（優先権出願）
本願は、２００６年８月１４日に出願され、ならびに「ＡＲＴＩＣＬＥ  ＡＮＤ  ＭＥＴＨＯＤ  ＦＯＲ  ＣＬＥＡＮＩＮＧ，ＳＯＦＴＥＮＩＮＧ，ＳＣＥＮＴＩＮＩＧ  ＡＮＤ  ＲＥＤＵＣＩＮＧ  ＳＴＡＴＩＣ  ＯＦ  ＦＡＢＲＩＣ  ＡＮＤ  ＭＥＴＨＯＤ  ＦＯＲ  ＭＡＫＩＮＧ  ＳＡＭＥ」と題する、米国仮特許出願第６０／７９２，２８４号に対して優先権を主張し、この仮特許出願を本明細書中で参考として援用する。
【０００２】
（発明の分野）
本発明は布の清浄化およびコンディショニングの両方のために使用する物品に関する。より具体的には本物品は、洗剤、布の柔軟剤、および場合によって他の布処理組成物でコートされた水に不溶性の基材を含み、洗濯機に加えたとき、次いで濡れた衣類と共に衣類乾燥機へ運ばれるときに、布を洗浄およびコンディショニングするための単一製品として機能する。本発明は、かかる物品を製造する方法にも関する。
【背景技術】
【０００３】
（発明の背景）
洗濯作業は、家庭の主婦によって行われようが、病院、ホテル、刑務所などの施設の洗濯施設のスタッフによって行われようが、最初に洗濯用洗剤を用いる洗浄段階およびそれに続く衣類乾燥機中での乾燥段階を必要とする。普通は、洗浄段階のためには例えば粉末、液体または、錠剤などの単位化された投入形態の洗濯用洗剤を汚れた衣類および冷水、温水または熱水と共に洗濯機に加え、次いで濡れた布を衣類乾燥機へ移し、そこで別の布柔軟剤／静電防止剤を、例えば乾燥機シートとして加える。布の清浄化およびコンディショニングの両方を単一の製品から提供する１つの方法は、液体または粉末の組成物中に組み込まれた布柔軟剤を有する洗濯用洗剤を入手することである。同様に化学物質を乾燥機に加えることを排除する１つの代わりの手順は、別々の洗剤製品と布柔軟剤製品を洗濯機に加えることであり、例えば一部の洗濯機が布柔軟剤用の個別の区画を有することを利用してそれが洗浄中には引き止められ、そしてすすぎサイクルの間に加えられるようにすることである。
【０００４】
単一製品中に洗剤とコンディショニング剤の両方が存在すること、およびそれを上記のような、組み込まれた布柔軟剤を有する洗剤、または別々の洗剤と布柔軟剤を洗濯機中で使用するよりも良好に機能させることが広く望まれている。洗剤配合物およびコンディショニング配合物を、何らかの方法で物理的に布柔軟剤乾燥機シートに似ている１つの基材上に有し、この基材が洗濯機に加えられると洗剤が洗浄液中へ解放され、次いで基材が濡れた布と共に乾燥機に運ばれそこで布コンディショニング組成物が乾燥機の熱によって布中に解放されることが最も望ましい。これまでの先行技術は、触ると粘着性であり、層をはさむ必要性の故に製造が困難であり、かつ布の清浄化およびコンディショニングが非効率的な、かかる洗濯シートだけしか記載していない。必要とされるものは、製造が容易で取り扱いが快適でありかつ触っても粘着性がないシート上のビルダー、洗剤および布柔軟剤／静電防止剤の組合せであって、さらに優れた清浄化を、優れたかつ実質的な静電防止剤、芳香剤および柔軟剤の乾燥サイクル中の送達と共に有するものである。
【０００５】
清浄化および布柔軟化および静電防止制御の利便を単一物品から提供するために自動洗濯機に加えられ、その後続いて濡れた布と共に乾燥機中に運ばれるいわゆる洗濯用物品は先行技術で知られておりかつ市販されている。例えば、１９７８年６月２０日にＴｈｅ  Ｐｒｏｃｔｅｒ＆Ｇａｍｂｌｅ  Ｃｏｍｐａｎｙに交付された特許文献１（Ｊｏｎｅｓ‘９４６）は、清浄化および布コンディショニングの利便を提供する洗濯用物品を記載しており、それは洗濯作業の間に自動洗濯機および乾燥機の両方の中で使用される。Ｊｏｎｅｓ‘９４６特許は、主にドデシルベンゼンスルホン酸ナトリウム（Ｎａ−ＬＡＳ）、アルコールエーテル硫酸ナトリウム（Ｎａ−ＡＥＳ）、ケイ酸塩およびリン酸塩、またはアルコールエトキシレート非イオン性およびドデシルベンゼンスルホン酸マグネシウム（Ｍｇ−ＬＡＳ）を含む水溶性界面活性剤混合物を有する洗剤組成物を、第四級および脂肪族アルコール分散抑制剤を含む布コンディショニング混合物と共に有する水に不溶性の基材からなる物品を記載している。かかる物品はそれらの洗剤組成物を洗濯機の洗浄水中に解放し、布柔軟剤組成物は洗浄液中には多少不溶性であって洗浄条件で生き残り、それ故に濡れた布が衣類乾燥機中で一緒に運び込まれたこの物品と共に乾燥されるときに布をコンディショニングするために利用可能である。Ｊｏｎｅｓ‘９４６特許は、粘着性洗剤組成物を隠蔽するためのはさまれた基材層を必要とする実施例だけを記載している。Ｊｏｎｅｓ‘９４６特許中の洗剤組成物は水性液体またはスラリーであり、基材上にスプレーされるかまたは濡れたスラリーとして塗られるかのいずれかであり、次いでもう１つの基材層ではさまれ、次いで（パルプ／コットンの場合は）外縁が一緒に縫い合わせられるかまたはポリプロピレンの場合はヒートシールされ、さらに水を除去しかつ物品全体の重量を減少させるために広範囲で乾燥される。柔軟剤混合物は第四級柔軟剤を脂肪族アルコール分散防止剤と共溶融することによって形成された溶融物であり、この溶融物ははさまれた物品の外側に液滴として塗布されそこでこの混合物は冷えると固化する。明らかにこれは多段階の工程を含み、低コストの市販可能な製品の製造には使えない。
【０００６】
加えて、１９７９年１０月９日にＴｈｅ  Ｐｒｏｃｔｅｒ＆Ｇａｍｂｌｅ  Ｃｏｍｐａｎｙに交付された特許文献２（Ｆｌｅｓｈｅｒ  ‘５６５）も布を洗浄する作業において有用であると主張されている洗剤および布コンディショナーを含浸させた水不溶性の基材を含む物品を記載している。Ｆｌｅｓｈｅｒ‘５６５はＪｏｎｅｓ‘９４６特許に記載されているものと同一の組成物を有する物品を記載しているが、より重要なことに基材の空気透過性に関する要件をより詳しく記載している。Ｆｌｅｓｈｅｒ‘５６５は、１９〜１７５立方フィート／分・平方フィートの空気透過性を有する溶融ブロー成型されたポリプロピレンシートから作成された物品を記載している。Ｆｌｅｓｈｅｒ‘５６５特許は、同じ層形成および粘着性の洗剤組成物を接触から遮蔽するための層同士の縫い合わせの必要性を記載している。興味深いことに、これらの参考文献は以下に言及する他のいくつかの特許と共に、乾燥機中における実質的な芳香剤の送達の必要性には言及しておらず、または洗浄を通じて柔軟剤の保持を最適化する方法および乾燥機中で基材から離れる柔軟剤の送達を最大限にする方法をはっきりさせていない。明らかに先行技術は乾燥機中へ芳香剤を送達することの必要性を記載しておらず、また先行技術は乾燥機中において洗浄サイクルを通過した洗濯シートから芳香剤および静電防止剤の優れた送達を達成する方法を示してもいない。
【０００７】
最新技術の粉末、固形、液体、および単位化された投入量（錠剤、小袋およびシート）の洗剤は、引き続いてさらなる問題に直面している。最も問題があるのは洗浄による布への芳香剤の送達が制限されることである。濃密に芳香の付いた衣類を得るための唯一の実際的な方法は、いくつかの濃密に芳香の付いた乾燥機シートを衣類乾燥機中で一度に使用することである。芳香剤を洗浄液に送達する洗剤は、すすぎ水を介して衣類乾燥機中へ移送された濡れた布までそれを届かせるために十分に実質的な芳香剤を送達しない。洗剤に含有されている芳香剤の有意な部分が布に吸着されることはなく、むしろ洗濯機から排出されて無駄になる。したがって、布における高い芳香剤の保持を達成するためには、第２の製品を洗浄工程のすすぎサイクルの間に（例えば濃密に芳香を付けられた液体布柔軟剤）加えるか、またはより好ましくは直接乾燥機に布柔軟剤シートの形態（乾燥機シート）で加える。
【０００８】
これらの従来の洗剤および柔軟剤製品の第２の制限は、洗剤にとって静電防止の利点または柔軟化の利点のいずれかを実現することが、これらの利点のどちらについても必要な化学品であり、かつ良好な清浄化のための洗剤組成物中に必要なアニオン性界面活性剤である第四級アンモニウム化合物の不適合性の故に、困難なことである。多くの最近の新規製品の発表は「１つで２つの機能を有する」洗剤の利点（清浄化＋静電防止／柔軟化）を主張しているが、これらの製品によって達成される性能調節のレベルは非常に低く、消費者には認識されていない。最後に、洗濯用洗剤シートを製造するために洗剤が基材に塗布される場合は、シートはかなり粘着性になってしまう。これは、洗剤配合物が基材から離れて洗浄液中に溶解するためには高度に水溶性でなければならないという事実に起因し、これらの配合物中のこれらの種類の成分は初めから粘着性および／または吸湿性の水和物であることが多く、その場合シートは貯蔵中に空気に露出すると迅速に粘着性となる。
【０００９】
洗濯用洗剤シート物品の粘着性を回避するためのいくつかの方法があった。上記の、層をはさむＪｏｎｅｓ‘９４６およびＦｌｅｓｈｅｒ‘５６５法に加えて、もう１つの例が１９９３年４月１３日に交付されたＬｅｖｅｒ  Ｂｒｏｔｈｅｒｓの特許文献３（Ｋａｒｐｕｓｉｅｗｉｃｚ‘０４５）に記載されており、「Ｓ形の洗剤ラミネート（Ｓ−ｓｈａｐｅｄ  ｄｅｔｅｒｇｅｎｔ  ｌａｍｉｎａｔｅ）」を特許請求している。この基材はそれ自体の上に折り返されており、折られた層は文字通り粘着性の洗剤組成物で一緒に接着されている。この仕方ではさまれた物品が創られ、それは使用者が層の間にある粘着性の洗剤に触れることを防いでいるが、２枚のシートの外縁を縫い合わせる必要はない。あるいは、洗濯用洗剤シートの粘着性を改善するために強度の乾燥が使用されてきたが、吸湿性の材料は貯蔵中に水和し続けて当初は乾燥していたシートがやはり時間がたてば粘着性になる傾向を有することがある。
【特許文献１】米国特許第４，０９５，９４６号明細書
【特許文献２】米国特許第４，１７０，５６５号明細書
【特許文献３】米国特許第５，２０２，０４５号明細書
【発明の開示】
【発明が解決しようとする課題】
【００１０】
したがって洗濯用物品は、合理的なサイズであり、非粘着性であり、清浄化において現在市販されている洗濯用洗剤と同様に有効であり、さらに静電防止および布の柔軟化に優れており、かつ乾燥機中の布への実質的な芳香の送達において優れていることが必要である。また、かかる物品を製造するよりよい方法に対する明らかな必要性がある。
【課題を解決するための手段】
【００１１】
（発明の要旨）
本発明は、現在の製品および方法の能力を超える、洗濯機における効率的な清浄化ならびに乾燥機までのかなりの芳香剤の送達および柔軟化／静電防止の利便を提供する、洗濯用の清浄化およびコンディショニング物品ならびにそれを製造する方法およびそれを使用する方法を提供する。以下に詳細に記載する通り、洗浄サイクルを通じた布柔軟剤の保持および乾燥機内における布柔軟剤の有効な解放は、物品の柔軟剤部分の組成よりもむしろ基材の種類により強く依存することが示されてきた。また、物品の複数区画構造および設計の故に、本発明は消費者にとっての取り扱いにおける独特の利便および柔軟性をも提供する。
【００１２】
一般に、本発明は水に不溶な基材を含む洗濯用物品であり、基材上には最少でも２つの組成物が「複数の区画」に塗布されている。例えば、水に不溶な基材の表面上の複数の区域、または模様または領域（「区画」と呼ぶ）として配置された１つの芳香剤および／または柔軟剤／静電防止剤組成物区画、加えて１つの洗剤組成物区画を有する水に不溶な基材である。物品上の任意選択の穿孔は、消費者が物品を画定された線に沿って切り取って、特定の洗濯物量のために使用する量および処方に合わせて、製品の量を洗濯の詳しい必要条件に合わせることを可能にする。製造の方法は、好ましくは洗剤組成物および柔軟剤／芳香剤／静電防止剤組成物の両方を加熱共溶融物として含む共溶融物の材料の基材上への塗布である。本発明の洗剤混合物は続いて乾燥される液体、スラリー、またはペーストとして基材に塗布することができるが、無粘着物品を製造する好ましい方法は基材のファイバーの間に浸透するかまたは吸収される溶融物（すなわち最小限の水含有量を有する熱硬化性加熱溶融物）を塗布することであり、溶融物は冷えて固化してワックス状の区画に見えるものになる。最後に、溶融洗剤組成物の有用性は、溶融された洗剤は金型中に入れて冷却して形にする、または塊として冷却する、押し出し成形して切断して、使用においては洗剤錠剤に類似であるが圧縮粉末ではなく成形固体である、単一投入洗剤の形状（これも本発明の範囲内の洗濯用物品）を作ることができるという点で、基材への塗布をはるかに超える。
【００１３】
本発明の物品の例となる一実施形態においては、洗濯機中および衣類乾燥機中で順次使用されたときに布を清浄化しかつコンディショニングする複数区画の洗濯用物品を形成させるために、アニオン性材料（例えばスルホン酸塩、硫酸塩など）、および非イオン性材料（例えばアルコールエトキシレート、アミド、エステル、ポリエーテルワックスなど）、ビルダーおよびキレート剤（例えば炭酸ナトリウム、ホウ砂および／またはケイ酸塩、ＥＤＴＡ四ナトリウムなど）ならびに様々な補助剤からなる共溶融洗剤組成物が、溶融されかつ熱い状態で、不織布基材の表面に区画された１つの区域に塗布され、かつ溶融された脂肪族アルコールなどの補助剤を有するかまたは有していない第四級界面活性剤からなる加熱された洗濯用コンディショナー組成物および／または芳香剤も溶融されかつ熱い状態で基材表面の別の区画に塗布される。
【発明を実施するための最良の形態】
【００１４】
（発明の詳細な説明）
以下の記載は例となる実施形態だけのものであり、決して本発明の範囲、適用性または構成を限定することを意図するものではない。以下の記載はむしろ、本発明の例となる実施形態を実施するための好都合な例示を提供する。記載されている実施形態に対して、記載されている要素の機能および配置についての様々な変更を、添付の特許請求の範囲に記載されている本発明の範囲を逸脱することなく行うことができる。加えて、水に不溶な基材に塗布された洗濯用洗剤および布コンディショナー組成物からなる洗濯用物品という一般用語で本明細書には記載されているが、前述の組成物の部分としてか、または基材上の別の区画としてのいずれかで基材上に塗布もしくは吸着された、あるいは基材中に吸収された処理剤としての漂白剤、殺菌剤、脱臭剤、しみ抜き用化学薬品、錆除去剤、水調整剤などの他の洗浄用材料および布処理用材料も同様に本発明の範囲内に入ることができる。加えて独特に着色された、テクスチャのある、または凝集した区画の洗剤組成物および柔軟剤組成物を作るための組成物に対するいずれの種類の無機能添加物も本発明の趣旨の範囲内に入る。さらに、基材のいずれの特定の物理的形状およびサイズも、配合区画のいずれの特定の装飾的または機能的配置および物品上の穿孔の方向および数と共に本発明の範囲内に入る。最後に、本明細書に記載されている洗剤組成物のどの金型成形形状も、単一投入洗濯洗剤として機能する溶融物注入洗剤形状を含めて、本発明の洗濯用物品を構成する。溶融物注入洗剤は、基材から独立して、小さな装飾的成形物に金型成形（方法は市販のキャンディー製造に似ている）するかあるいは溶融された熱い洗剤は、堰付きの箱に搬送して冷やしたベルト上に滴下して、粉末洗剤に代わるものとして箱詰めすることができる小ペレットを製造することができる。ペレット化された洗剤を得る方法は全体を本明細書に組み入れるＤｉｖｅｒｓｅｙ  Ｃｏｒｐ．の米国特許第４９３１２０２号に記載されており、この方法は本発明の洗剤組成物をペレット化するために適合させることができる。
【００１５】
とはいうものの、本発明は、最小限度では洗剤組成物および柔軟剤／静電防止剤組成物を不織布などの水に不溶性の基材上に含み、洗濯作業において、まず洗濯機中でおよびそれに続いて濡れた布と一緒に容器回転式乾燥機中で使用するための物品に関する。この方法において、単一の物品が布の清浄化およびコンディショニングを支援し、かつ実質的な量の実質的芳香剤、柔軟化および静電防止挙動を乾燥された布に与えることができる。本発明はさらに、かかる洗濯用物品を製造する方法に関する。
【００１６】
より詳しくは、本発明は、布の清浄化、柔軟化、芳香化および静電気の低減のために、布の洗浄および乾燥の逐次段階において使用され、洗剤組成物、コンディショニング組成物、および任意選択で他の布処理組成物に区画された領域を有する水に不溶性の基材を含む物品である。基材および布柔軟化組成物は、洗浄サイクルを通じた基材上の布柔軟化組成物区画の保持が少なくとも約８０％であり、乾燥機中での布柔軟剤の解放は少なくとも約７０％であるように選択される。以下に記載するように、１つの予期されていなかった結果は、乾燥機中での布柔軟剤組成物の解放が、基材の性質に強く依存することである。最も意外なことに、基材が賢明に選択されている場合には、基材上のワックス状布柔軟剤組成物は、先行技術で記載されている、基材からの柔軟剤の解放を助けるための脂肪族アルコールなどの添加された解放／分散剤助剤を有する必要がない。
【００１７】
基材
本発明の様々な実施形態によって、様々な材料が本発明の基材として使用することができる。例えば、基材は天然のパルプに基づく紙またはコットンの材料、完全に合成の材料（溶融ブロー（ｍｅｌｔ−ｂｌｏｗ）、スパンレイド（ｓｐｕｎ−ｌａｉｄ）、エアレイド（ａｉｒ−ｌａｉｄ）またはカーディング（ｃａｒｄｅｄ）／接合された（ｂｏｎｄｅｄ）ポリプロピレン、ポリエステル、または類似の合成ポリマーファイバー基材など）または天然および合成材料の組合せ（不織布のウェブ上のウエットレイド（ｗｅｔ−ｌａｉｄ）パルプなど）であり得る。例えば、「ウエットワイプ（ｗｅｔ−ｗｉｐｅｓ）」硬表面および身体洗浄製品、ドライヤーシート、または現在市販されている身体衛生製品に使用されている基材のいずれでも本発明の物品の基材として有用であり得る。加えて、液体および空気のろ過産業において見られる材料にも基材としての用途があり得る。以下に論じるように、基材の選択は本製品の性能にとって決定的に重要であることが見出されている。基材の選択は本洗濯用物品の多くの重要な性能変数に影響を及ぼす。例えば、基材の種類は以下のものに影響を及ぼす；基材上に塗布可能な洗剤および柔軟剤の量（例えばグラム数）、洗濯機中に送達される洗剤のパーセンテージ（％）、洗濯機を通過して基材上に保持される柔軟剤のパーセンテージ（％）、乾燥機中に送達される柔軟剤のパーセンテージ（％）、および最後に、順次の洗浄および乾燥サイクルの終了時に布上に観察されるファイバーくずの量。
【００１８】
適当な基材シートは、様々な水に不溶性の不織布のいかなる数からでも得ることができる。「シート」という用語は本明細書では幾分あいまいに使用され、例えば正方形または長方形の平坦なシートであり、幅および長さは厚さよりもずっと大きく、かつ単一の洗濯用物品である本発明の個々の物品の好ましい形状に関する。したがって、「シート」という用語は、本発明の個々の物品のために使用することができる不織布の切片の記述として使用する。しかし、「シート」という用語の使用は、製造方法を最初に基材を小さな断片（「シート」）に切断することに続いて洗濯用組成物のこれらのより小さな個々のシートへの塗布の順序に限定するものと解釈してはならない。本方法はまったく逆でもよく、組成物を基材の大きなロールに塗布し、次いでそれらのコートされた長さを個々のシートまたは断片に切断することに製造の経済性があってもよい。
【００１９】
多くの用途を有する不織布はファイバー技術分野の熟練者には周知である。不織布は「Ｎｏｎｗｏｖｅｎ  Ｆａｂｒｉｃｓ：Ｒａｗ  Ｍａｔｅｒｉａｌｓ，  Ｍａｎｕｆａｃｔｕｒｅ，  Ａｐｐｌｉｃａｔｉｏｎｓ，  Ｃｈａｒａｃｔｅｒｉｓｔｉｃｓ，  Ｔｅｓｔｉｎｇ  Ｐｒｏｃｅｓｓｅｓ」、編Ｗ．  Ａｌｂｒｅｃｈｔ、Ｈ．  ＦｕｃｈｓおよびＷ．  Ｋｉｔｔｅｌｍａｎｎ、Ｗｉｌｅｙ−ＶＣＨ  Ｖｅｒｌａｇ  ＧｍｂＨ  ＆  Ｃｏ．  ＫｇａＡ  Ｗｅｉｎｈｅｉｍ、２００３年に全面的に記載されている。かかる布は連続フィラメントおよび／またはステープルファイバーのウェブを形成し、かつ任意選択でファイバーをファイバー同士の接触点で接合して必要な性質の布をもたらすことによって調製することができる。「接合された不織布」という用語は、ファイバー同士の接合の主な部分が、隣接するファイバーの熱融合、またはファイバーを一緒に「接着する」ためにウェブ中に接着剤を組み入れることによって達成される接着接合、またはファイバーを粘着性にするために液体または気体の接合剤を使用することによって（普通は加熱を併用して）得られるような他の接合のいずれかによって達成される不織布を含めて使用する。ウェブ中のファイバーの間に分散させた接着剤またはラテックス粉末を使用し、次いでそれを熱、紫外線または赤外線の照射、または他の適当な活性化の方法によって活性化することによって化学結合が達成されることもある。熱的におよび化学的に接合されカーディングされたウェブは、Ｆｉｒｓｔ  Ｑｕａｌｉｔｙ  Ｎｏｎｗｏｖｅｎｓ、Ｉｎｃ．、の米国特許第６６８９２４２号に記載されており、その主題を本明細書に組み入れる。熱的におよび／または化学的に接合された不織布は本発明の範囲内の基材として使用することができる。
【００２０】
不織布は、「二成分ファイバー」として知られているファイバー、例えば内側の芯領域よりも融点が低い外側の鞘領域または層を有するファイバーであって、それぞれのファイバーの外側の層だけを溶融させることによって効率的で制御された熱接合を可能にする「鞘／芯二成分ファイバー」を含むことができる。つまり、二成分ファイバーの外側の表面がファイバーの芯よりも低い融点を有するように作ることができる。例えば、１つの成分が接合条件下で接着性を有する接合剤二成分ファイバーは、パーソナルケア製品またはろ過製品中で吸収材として使用されるファイバーウェブに完全性を与えるために広く使用される。加えて、多成分ファイバーが同様に知られており、商業的に不織布中に組み込まれている。かかる多成分ファイバーの例は米国特許第５３８２４００号および第５８６６４８８号に記載されており、これらの全体を本明細書に組み入れる。
【００２１】
ファイバーの接合の間に、ウェブは同時に力学的な圧縮を、「熱圧縮接合」として知られている方法で所望の接合、重量および厚さを得るために受けることができる。熱圧縮接合は、熱エンボスロールおよび熱平坦カレンダーロールなどの装置を使用し、かつ熱風循環型、熱風流通型、赤外線ヒーター型または垂直熱風ブロー型などの熱処理機械が熱圧縮接合を行うために使用される方法を組み入れることによって完遂することができる。力学的圧縮は、同様の秤量で布のロフト（ｌｏｆｔ）または厚さを設定するために使用することができる。普通は秤量、すなわち正方形面積当りの質量の増加は厚さを増加させ、接合および圧縮の増加はロフトを低減させる。「片寄り（ｓｉｄｅｄｎｅｓｓ）」のある不織布は本発明の物品における使用のために好ましい。「片寄り」はそれぞれの側で密度および／またはロフトに差がある不織布を指す。これらの好ましい片寄りのある不織布は、不織布の内部断面を見ることによっても記述することができる。例えば、本明細書における使用のための好ましい不織布は少なくとも１つの「不均一な断面」を有する。すなわち、好ましい片寄りのある不織布を切断すると、露出する端面は不均質であることが見られ、言い換えれば、不織布の一方の側から反対の側にわたってファイバー密度の勾配を有する。片寄りを有する不織布を製造するためには、接合の間に力学的圧縮の単一または複数の通過が使用され、例えばそれぞれの側に対する熱接合のための加熱を変えることによっておよび／またはそれぞれの側でファイバーの種類の異なる群を用いてカーディングされた不織布を熱圧縮接合することによって製造される。以下に記載する通り、片寄りは一緒にしてラミネート法によく似た、層にした異なるファイバー厚さを使用することによって、および熱接合または粉末／熱接合のための熱／粉末接着剤を、より薄くより密接にウェブ化されたファイバー（より密集した）およびより厚くより粗くウェブ化されたファイバー（より軽く、より高い）と接合させることによっても達成することができる。本明細書で使用するラミネートされたという用語は、別々にカーディングされてから一緒にされて単一の不織布を形成したファイバーウェブを意味するものと解釈すべきである。ラミネートされたという用語は、ポリウレタンスクラビング（ｓｃｒｕｂｂｉｎｇ）層をセルローススポンジ上に接着あるいは接合するなどの材料の層の接着を意味するものと解釈すべきではない。不織布は２つ以上のカーディングされたファイバーウェブを一緒にラミネートすることによって構成することができるが、最終結果は一枚のより厚い不織布であり、２つの層を見分けることは難しい。複数層の不織布がどのように仕上げられるかによって（例えば、ファイバーの熱的または化学的／熱的接合の程度）、最終的に得られるラミネートされた不織布はファイバーの単一層であるかのように見えることがある。しかしかかる好ましい不織布の断面を見ると、たとえ元の２つのカーディングされたウェブの間の不連続な遷移を見つけることはできなくても密度の勾配は目視可能である。
【００２２】
不織ウェブは多くの方法、例えば、溶融ブロー、スパンボンドまたはスパンレイド、トウオープン（ｔｏｅ−ｏｐｅｎｅｄ）、ウエットレイド、エアレイド、カーディング、高圧ハイドロエンタングルメント（ｈｙｄｒｏ−ｅｎｔａｎｇｌｅｄ）から形成されてきた。不織ウェブの秤量は普通平方ヤード当りの材料のオンス（ｏｓｙ）または平方メートル当りのグラム数（ｇｓｍ）で表され、ファイバーの直径は普通ミクロン、またはステープルファイバーの場合は「デニール」で表される。「デニール」はファイバーの長さ９０００メートル当りのグラム数として規定される。円形の断面を有するファイバーについては、デニールはミクロンで表したファイバー直径を二乗し、グラム／ｃｃで表した密度を掛け、０．００７０７を掛けたものとして計算することができる。デニールが低いほど細いファイバーを示し、デニールが高いほど太いまたは重いファイバーを示す。「平均ファイバーデニール」は、それぞれのファイバーのデニールの合計をファイバーの数で割ったものである。デニールの分布、または「平均ファイバーデニール」はある特定の値の前後のファイバー直径の分布を指し、例えば「２デニール」は平均２デニールの直径のファイバーを指す。本明細書で使用する「かさ密度」という用語は、単位容積当りの材料の重量を指し、普通単位かさ容積当りの質量の単位数で表される（例えば立方センチメートル当りのグラム数）。不織布は、単一の直径の平均値またはデニールを有するファイバーによって製造され、または２つ以上の平均直径値のファイバーを一緒に使用することができる。例えば、ファイバーデニールの２つ以上の分布を組み合わせて別の複数のファイバーウェブにすることができる（例えば２．５デニールおよび４デニールのファイバーを一緒にカーディングする）。次いで別の複数のファイバーウェブを一緒にラミネートすることができる。最終結果はいくつかの異なる平均ファイバー直径からなる不均一な断面を有する単一の不織布であり得る。例えば、ある単一の不織布は２．５、４、６、１５デニールのファイバーを含むことができ、４つの別々のデニールのファイバー（４つの別々の平均直径のファイバー）で構成されたことを意味する。
【００２３】
「スパンボンドファイバー」は、溶融熱可塑性材料に押し出しによってフィラメントとして形成されたファイバーを指し、例えばＡｐｐｅｌの米国特許第４３４０５６３号、Ｄｏｒｓｃｈｎｅｒの米国特許第３６９２６１８号、Ｍａｔｓｕｋｉの米国特許第３８０２８１７号、Ｋｉｎｎｅｙの米国特許第３３３８９９２号および米国特許第３３４１３９４号、Ｈａｒｔｍａｎの米国特許第３５０２７６３号、Ｄｏｂｏの米国特許第３５４２６１５号、ならびにＰｉｋｅの米国特許第５３８２４００号に記載されており、それぞれの全内容を参照により本明細書に組み入れる。スパンボンドファイバーは、一般にはそれらを収集表面に堆積させたときには粘着性ではない。スパンボンドファイバーは一般に連続的であり約７ミクロン〜約６０ミクロン、最も多くは約１５〜２５ミクロンの間の平均直径を有する。
【００２４】
「溶融ブロー」は、溶融熱可塑性材料を複数の細い、普通は円形の、ダイ毛管を通して溶融した糸またはフィラメントとして、溶融熱可塑性材料のフィラメントを細くして、その直径を減少させる収束した高速の、普通は熱い、ガス／空気の流れ中に押し出すことによって形成され、最終的にはマイクロファイバーの直径まで細くなり得るファイバーを指す。その後、溶融ブローファイバーは高速のガス流によって運ばれ、収集表面に堆積してランダムに分散したメルトダウンファイバーのウェブを形成する。かかる方法は、例えば米国特許第３８４９２４１号に開示されている。溶融ブローファイバーは連続または不連続であり得るマイクロファイバーであり、一般には平均直径が１０ミクロン未満であり、収集表面に堆積したときには一般に粘着性である。
【００２５】
「エアレイド」は周知の方法であり、それによってファイバー状の不織布層を形成させることができる。エアレイド法においては、通常の長さが約３〜約５２ミリメートル（ｍｍ）の小ファイバーの束が分離され、供給空気中に同伴されて形成スクリーン上に、普通は真空の援助によって、堆積する。ランダムに堆積したファイバーは、次いで、例えば、バインダー成分またはラテックス接着剤を活性化させるための熱空気を使用して互いに接合される。エアレイド法は、例えばＬａｕｒｓｅｎの米国特許第４６４０８１０号およびＣｈｒｉｓｔｅｎｓｅｎの米国特許第５８８５５１６号で教示されている。
【００２６】
本発明の物品のための基材として使用するための好ましい不織布は、カーディングされ熱接合された、またはカーディングされ粉末／熱接合された不織布、例えば、ＨＤＫ  Ｉｎｄｕｓｔｒｉｅｓ、Ｉｎｃ．から入手可能なものである。粉末接合は、ファイバー状ウェブを形成するためのステープルファイバーのカーディングで始まる乾式法であり、ウェブは次いで粉末熱可塑性接着剤またはラテックス材料で処理され、かつ一連のオーブンおよびカレンダーロールに掛けて不織布を製造する。加えて、熱は、片寄りのある不織布を製造する方法として、製造後の不織布にロフトを作るために使用することができる。本発明における使用のための接合された不織布の好ましい重量範囲は、約２．０ｏｓｙ〜約６．０ｏｓｙであり、厚さは約２５ミル〜約１５０ミルの範囲にある。本発明において使用する不織布のために好ましいファイバーは、単一成分、二成分（例えば鞘／芯）または多成分であってよく、ポリプロピレン、ポリエチレン、ポリエステル、レーヨン、ナイロン、アクリル、モダクリル、ポリエチレンテレフタレート、ポリブチレンテレフタレート、ポリアミド、およびこれらの種類のポリマーの混合物から作られる。本発明において使用される基材のために好ましいデニールは、約０．９〜約１５である。本発明における使用のために好ましいのは、カーディングされ次いで熱的に接合されたか（熱圧縮接合など）または粉末／熱的接合された、少なくとも２つの異なる平均直径のポリエステルファイバーの混合物からなる不織布である。本発明における使用のためにより好ましい基材は、約２．０〜約６．０ｏｓｙの範囲の重量を有しかつ厚さが約５０〜１５０ミルの範囲にあるポリエステル１００％の不織布である。最も好ましい基材は、カーディングされ熱的に接合されたまたはカーディングされ粉末／熱接合された積層ポリエステル不織布であり、重さ約２０〜約９０ｇ／ヤードおよび厚さ約７５〜約１５０ミルであり、さらに少なくとも１つの約１．５〜約６の平均デニールを有するカーディングされたファイバーの平坦側、および少なくとも１つの約３〜約１５の平均デニールを有するカーディングされたファイバーのロフトされた側の両方を含む。かかる「片寄り」を有する積層、複数デニール不織布は、単一回または２回以上通過の熱圧縮接合によって製造することができる。これらの最も好ましい基材は「不均一断面」を少なくとも不織布中のどこかに必然的に有する。例えば、不織布はその長さおよび幅方向にわたって（例えば、基材の上面または底面を見れば）均一であってよいが、それでも厚さ方向には（すなわち、作られたままのまたは断面を切断したときのいずれかの基材の端を見ると）不均一な断面を持つことがある。加えて、不織布は最上層が底層を完全には覆わない方法で、かつ幅の部分を単一密度の布としておよび幅の隣接する一部分をファイバー密度の勾配として有する非対称の布を製造する方法で積層してもよい。これらの不織布は布上のどこかに不均一な断面を有する。例えば、この不均一な断面を見るためには、布を基材の厚みを通じてファイバーの均一な密度が存在する単層部分を通って切断するのではなく、２つの層（および布の厚みを通じて密度の勾配）が存在���る区域内で切断しなければならない。これら基材中で使用されるファイバーのどれも、熱接合操作において所望のレベルのファイバー接合を得るためには、単一成分ポリマーであっても、二成分（鞘／芯）または多成分ポリマーであってもよい。本発明の物品中での使用のために最も好ましい不織布は、これらの性質（幅１２５インチまで、秤量０．３ｏｓｙ〜３．５ｏｓｙ、厚さ約３ミル〜１５０ミルおよび「不均一断面」、すなわち不織布の厚みを通じてファイバー密度の勾配）を有して製造され、ＨＤＫ  Ｉｎｄｕｓｔｒｉｅｓ、Ｉｎｃ．から入手可能である。最も好ましい基材は、カーディングされ熱的に接合されたまたはカーディングされ粉末／熱接合された積層不織布であり、重さが約２０〜約９０ｇ／ヤード、厚さが約７５〜約１５０ミルの範囲であり、さらに約１．５〜約６の少なくとも２つの平均デニールを有するカーディングされたファイバーの平坦側、および約３〜約１５の少なくとも２つの平均デニールを有するカーディングされたファイバーのロフトされた側の両方を含む。本発明の物品中での使用のための最も好ましい基材は、カーディングされ熱的に接合されたまたはカーディングされ粉末／熱接合された積層ポリエステル不織布であり、重さが約２０〜約９０ｇ／ヤード、厚さが約７５〜約１５０ミルの範囲であり、（２．５および４デニールを合わせた）２つのデニールを有するカーディングされたファイバーから得られた平坦側、および（４および６デニールを合わせた、または４、６および１５デニールを合わせた）少なくとも２つのデニールを有するカーディングされたファイバーから得られたロフトされた側の両方を含む。相互に接続された熱可塑性ポリマーファイバーのネットワークから作られかつ高デニールステープルファイバーおよび低デニールステープルファイバーの均質なブレンドを含む一部の他の種類の複数デニール不織布がＰｅｒｅｉｒａの米国特許第６０８７５５１号に記載されており、本明細書に組み入れる。
【００２７】
本発明の物品に対する水に不溶性の基材としての用途があり得る不織布の例には、これらだけには限定されないが、Ａｈｌｓｔｒｏｍ  Ｎｅｅｄｌｅｐｕｎｃｈ、Ａｈｌｓｔｒｏｍ  １１Ｂ０４．３１１０、ＡｈｌｓｔｒｏｍＶＰＭ７．１、Ｓａｎｄｌｅｒ  Ｓａｗａｌｏｏｍ（登録商標）６０００、Ｓａｎｄｌｅｒ  Ｓａｗａｌｏｏｍ（登録商標）６６００、Ｓａｎｄｌｅｒ  Ｓａｗａｌｏｏｍ（登録商標）６７００、Ｓａｎｄｌｅｒ  Ｓａｗａｌｏｏｍ（登録商標）６３５１、Ｓａｎｄｌｅｒ  Ｓａｗａｌｏｏｍ（登録商標）２６２１、およびＳａｎｄｌｅｒ  Ｓａｗａｔｅｘ（登録商標）２６１１（スパンレース製品）、すべてＳａｎｄｌｅｒ  ＡＧ製品；  Ｔｅｘｅｌ（登録商標）０４５３１ニードルパンチ、およびＴｅｘｅｌ（登録商標）０５２３２  Ｔｅｎｏｔｅｘ製ニードルパンチ；ならびにＨＤＫ  ＃２２５熱接合ＰＥＴ、およびＨＤＫ  ＃５９０、４０１、３３０、＃２、＃４および＃５  ＨＤＫ  Ｉｎｄｕｓｔｒｉｅｓ  Ｉｎｃ．製熱接合不織布が含まれ得る。より好ましい基材には、少なくとも２つのファイバーデニール（したがって不均一な断面すなわち不織布の厚みを通じてファイバー密度の勾配を有する）からなるポリエステル不織布が含まれ、これはより平坦でより密度が高い側およびより軽いロフト付の側を作る方法で加工または積層されたものであり、これらには、以下のＨＤＫ  Ｉｎｄｕｓｔｒｉｅｓ、Ｉｎｃ．から入手可能な材料だけには限定されないが、２．５および４デニールのファイバーならびに４デニールと６デニールのポリエステルファイバーおよびポリエステルの二成分ファイバーからなり、２パスで、積層された、４．２ｏｓｙおよび厚さ約１００ミルの平坦／ロフト付不織布；２．５および４デニールのファイバーならびに４デニールと６デニールのポリエステルファイバーおよびポリエステルの二成分ファイバーからなり、１パスで、カーディングされ、積層された、４．２ｏｓｙおよび厚さ約１３７ミルの平坦／ロフト付不織布；２．５および４デニールのファイバーならびに４デニールと６デニールのポリエステルファイバーおよびポリエステルの二成分ファイバーからなり、１パスで、カーディングされ、積層された、３．５ｏｓｙおよび厚さ約１０７ミルの平坦／ロフト付不織布；ならびに、２．５および４デニールのポリエステルファイバーならびに４デニールと６デニールと１５デニールのポリエステルファイバーおよびポリエステルの二成分ファイバーからなり、１パスで、カーディングされ、積層された、４．２ｏｓｙおよび厚さ約１２８ミルの平坦／ロフト付不織布が含まれる。さほど好ましくはないのは、ファイバーウェブの単一層だけからなるすべてロフトのある材料、例えば４および６デニールのポリエステルおよびポリエステルの二成分ファイバーからなり、１パスで、片寄りがなく、４．２ｏｓｙおよび厚さ約１２８ミルのものである。最も好ましいのは単一または２パスの熱圧縮および／または粉末／熱接合段階によって製造され、かつ平坦側で約１．５〜約６デニールのファイバー、ロフト付の側で約３〜約１５デニールのファイバーのデニール範囲を有する少なくとも２つの平均ファイバーデニールのポリエステルおよび／またはポリエステルの��成分ファイバーから構成される、平坦側ならびにロフト付の側の両方を有する積層ポリエステル不織布である。これらの最も好ましい基材不織布は積層された基材である。ファイバーは層にしてカーディングすることができ、最終結果はファイバー密度の勾配およびファイバーデニールの勾配となる。これらの好ましい不織布は、例えばセルロース層とスクラビング層とを有するスクラビングスポンジのような目視可能な層ではなく、不均一な断面を有する。以下により詳細に記載する通り、基材における平坦側とロフト付の側の組合せは柔軟剤組成物の基材への担持とそれに続く基材からの解放を大いに援助する。いずれの理論にも拘束されるものではないが、柔軟剤は加熱されている衣類乾燥機中にある間に不織基材の平坦側から送り出されるように見え、おそらくそれは不織布のロフト付の側に塗布されて固化したにもかかわらずファイバーデニールの勾配に沿って浸透することによると思われる。平坦側を通過する柔軟剤の送達は、基材を半分に折り畳み、平坦側を内側に隠してまたは外側に露出させてのいずれかで、ステープルで一緒に留めて洗浄／乾燥サイクルを通過させることによって示された。
【００２８】
本発明の物品の基材シート切断の寸法は、取り扱い易さのために適当な、例えば約４インチ×４インチから約８インチ×８インチの範囲内であるべきだが、消費者に都合のよい包装材中にまとめれば他の寸法のシートも有用であり得る。もちろん、シートは正方形または真にいかなる特定の形状でもある必要はなく、任意の形状、例えば長方形、多面体、長斜方形、円形、楕円形、ハート形、または他の装飾的形状、ある点で特定のブランドを識別できる形状すら（文字または単語または商標の形など）本発明の範囲内で機能する。本発明における使用のための基材は、任意の色（例えば鮮明な色）で着色してもよく、または実質的に白でもよく、さらにパターンの付いた加熱されたローラーから模様を付けてもよい。シートは巻いても折り畳んでも、あるいはある種の独特の包装デザインに合うように複雑に圧縮してもよく、または堅いカードのように販売用の適当なボール箱に単に積み重ねてもよい。また、シートの美観は、消費者が彼らの洗濯作業で使いたくなるように、十分に心地よいものでなければならない。したがって、別々の組成物区画のそれぞれは消費者にとって個別に、例えば色、透明性、光沢、手触り、芳香、またはこれらの特質の任意の組合せによって識別可能であるべきである。例えば、本発明の範囲内のシートは、濃い青色の洗剤の区画およびくすんだピンクの柔軟剤／静電防止剤の区画（これらは消費者が識別可能で伝統的な洗剤および布柔軟剤の色であることが分かっているので）またはもしかすると区画内に埋め込まれた着色粒子を有する洗剤区画があってもよい。かなりの量の溶融され／固化された洗剤組成物および柔軟剤組成物で処理された比較的広くて平坦なシートは脆く見えて幾分堅く、かつこれらの平坦で堅めのシートはより適当に積み重ねて包装するとよく、また消費者が彼らの使用に合わせてシートを切り離すための穿孔がより受け入れられ易い。小さめで厚めの物品は穿孔が利用されない場合でもより易しい取り扱いを提供することができる。寸法が比較的小さく見えるにもかかわらず、本発明の物品は基材のロフトおよびその吸収能力に応じて洗剤組成物および柔軟剤組成物のかなりの担持量を有することができる。
【００２９】
本発明の洗濯用物品のための水に不溶性の基材は、任意の適当な加工段階、例えば不織基材の加熱溶融された混合物または水溶液での単純なスプレーコーティングから不織基材の様々な混合物中への浸漬まで、によって洗剤組成物およびコンディショニング組成物を含浸させることができる。例えば、溶融組成物は、多くの他の産業において広い表面上に濃厚な塗料、接着剤およびコーティングなどをスプレーするのとよく似た方法で、加熱ノズルを有する銃からスパッタースプレーすることができる。それぞれの組成物の基材中への含浸は同時に（例えば並列のフィーダーまたはスプレーを用いる同時工程で）または、おそらく同じ工程の逐次操作または異なる工程の別々の組合せである、別々の操作でのいずれかで行うことができる。含浸は、基材の一方の側に施すことができ、あるいは１つまたは複数の含浸を（例えば洗剤配合物）を一方の側に施すことができ、かつもう１つの組成物を（例えばコンディショナー／芳香剤／静電防止剤配合物）を基材のもう一方の側に塗布することができる。これは、似ていない側を有する基材を使用する場合には、特に重要な選択肢である。含浸のために適当な方法は、例えばスロットコーティング法またはグラビアコーティング法である。スロットコーティング法では、塗布される流体を圧力下で所与の幅および長さの狭いスロットに強制的に通す。塗布の質量流量（ｇ／秒）は塗布圧力およびスロットのサイズによって制御される。基材（例えば不織布など）はそれがスロットを通って引っ張られるときに（例えば１〜１００フィート／分）コートされる。製造の規模に応じて代表的なスロットコーティングダイには、Ｅｘｔｒｕｓｉｏｎ  Ｄｉｅｓ  Ｉｎｄｕｓｔｒｉｅｓ  ＬＬＣ（ＥＤＩ）製のＵｌｔｒａｃｏａｔ、Ａｃｕｆｌｏｗ、Ｕｌｔｒａ  ｆｌｏｗ製品、Ｗａｙｎｅ  Ｙｅｌｌｏｗ  Ｊａｃｋｅｔ（登録商標）Ｆｌｅｘｉｂｌｅ  Ｌｉｐ  Ｆｌａｔ  Ｄｉｅｓ、またはＬｉｂｅｒｔｙ  Ｄｉｅ  Ｃｏａｔｉｎｇ  Ｅｑｕｉｐｍｅｎｔが含まれる。基材に塗布されるどの組成物の形態も、薄い液体から濃厚な液体まで、スラリーまたはペーストまで、冷めるとワックス様に見えるコーティングに固化する溶融材料までであってよい。洗剤組成物および柔軟剤組成物の両方を溶融混合物として塗布することがより簡単であり好ましいが、それでも洗剤組成物を水溶液またはスラリーとしてスプレーまたは浸漬操作に続いて過剰の水を基材から除去するための乾燥段階で塗布することができる。本発明の最も好ましい実施形態では、柔軟剤組成物は溶融されて塗布され、かつ２つの側を有する（平坦／ロフト付）上記したものなどのポリエステル不織布のロフト付の側の中に吸収される。本発明の範囲は、記載されたどの組成物の複数の段階における基材への塗布をも含むことは理解されるべきである。例えば、洗剤組成物の基材への塗布において、１つまたは複数の成分を組成物から除外して別途に不織布に塗布することができる（例えば、基材を予備調整するために）。次いで、洗剤組成物を含む、残っている成分を基材に塗布する。加えて、基材上に「第３の区画」を別に設けることは本発明の範囲内である。例えば、洗剤区画、布柔軟剤区画および第３の別の布処理区画（水溶性ビルダーまたは水調整剤、別の界面活性剤もしくは洗剤ブースター、または洗浄サイクル用の別の水溶性布柔軟剤などを含む）、または洗濯機または乾燥機用の別の芳香剤ブースト区画、その他を設けることが望ましいこともある。本発明は、洗剤区画および布コンディショナー区画だけに限定されるものではない。市場／消費者のニーズに合う区画された組成物または成分の任意の数を有する、個々の市場ニーズのための特別の製品を製造することができる。
【００３０】
図には基材上に洗剤、柔軟剤および追加の組成物区画を配置するいくつかの異なる方法が示されている。例えば、図１〜８は、洗濯用物品１を製造するための個別の組成物区画２および３の基材上の様々な配置が描かれている。図１〜８は複数の区画を示しているが、区画は洗剤区画および柔軟剤区画だけには限定される必要はないことが理解されるべきである。これらの図に示されている区画は洗剤、柔軟剤または他の布処理組成物の組合せであってもよい。図２０および２２〜２３は、外見が消費者にとってより興味深い洗濯用物品を製造するための基材上の組成物区画のより装飾的な配置を示している。先に言及した通り、物品はブランド名を書いた文字の形状、または商標の形状などの識別可能な形状に切断されてもよい。図２２は、円形の物品を示し、図２３は八角形の物品を示すが、形状の実施形態の数および布処理区画の寸法および数は事実上限りがなく、これらの描画は限りない例のほんの少しだけを例示しようとするものである。
【００３１】
基材のまわりの複数の区画に配置された複数の組成物を有する洗濯用物品は、それを２つ以上の均等なまたは不均等な部分に分割することができるように１つまたは複数の穿孔を有することができる。穿孔は複数区画の布処理組成物または単一区画の布処理組成物のいずれかを有する２つの別々のシートが得られるように（図１０、１４、１５、および１６の穿孔４によって示される通り）対称軸を通過することができる。図９、１２および１３に示すように、穿孔４は、物品を穿孔に沿って割ることが異なる組成物を有する（例えば、半分は洗剤組成物だけを有し、第２の半分は洗剤組成物および布柔軟剤組成物の両方を有するなど）断片を与えるように物品を通過することができる。あるいは、シート全体を穿孔に沿ってより小さい部分に割ることは、より小さい洗濯量のための同じ組成のより小さいシートを作るだけであるように、１つまたは複数の穿孔４がすべての布処理組成物区画を横切ることもできる（図１７、１８、１９および２１に示す通り）。穿孔は、コーティングの前に既に基材上にあってもよく、または組成物を基材に塗布した後で加えてもよい。または、物品は不織布のより大きいロールから切断され、かつ同時に穿孔された固体であってもよい。穿孔は、消費者に穿孔に沿った装飾的要素、例えばブランド名を書いた文字を有する洗濯用物品を切り離させることによって製品との相互作用を高めることができ、かつ消費者は様々な文字を名前から切り取ることができる。製品の取り除かれた部分は家の周りの他の用事のために使用することができる。例えば図９に示されているような洗剤組成物だけを有する取り除かれた部分３は家の周りの堅い表面のクリーナーとして使用するためにモップ用バケツに入れてもよい。布柔軟剤／芳香剤の部分は、取って置いて、後日、別の乾燥機サイクルで従来の「乾燥機シート」と同じ方法で使用することができ、または例えば空気清浄剤としてでも、自動車のシートの下に置いてもしくは家の冷暖房レジスター内に詰め込んで使用することができる。図９〜１９および２１は穿孔された物品を示し、何らかの限界をほのめかすことよりもむしろ絶大な可能性を強調することだけを意図するものである。本発明の物品は洗剤、布コンディショニング区画および他の布処理区画の無限の配置および１つまたは複数の穿孔の無限の配置を持つことができる。
【００３２】
本発明の範囲内の実施形態は、これらだけには限定されないが、少なくとも２つの組成物区画を有し、少なくとも１つの区画はスロットコーティング装置を使用して高められた温度で加工されるシート様の物品；少なくとも２つの組成物区画を有し、１つの区画は水に完全に可溶であり、第２の区画は８０％超が標準的洗浄サイクルを通じて保持される（安定な）シート様の物品；少なくとも２つの組成物区画を有し、１つの区画は高い湿潤／水吸収傾向を有し、第２の区画はより低い湿潤／水吸収傾向を有するシート様の物品；少なくとも２つの組成物区画を有し、１つの区画は＞５８℃の融点を有するシート様の物品；少なくとも２つの組成物区画を有し、少なくとも１つの区画はスロットコーティングによって塗布することができるシート様の物品；少なくとも２つの組成物区画を有し、両方の区画が基材材料に顕著に吸収されて組成物の露出表面をわずかにしか残さないシート様の物品；洗浄および乾燥用途においてわずかな物理的収縮しか示さず、かつ洗濯の洗浄および乾燥段階の両方において有効成分を放出する少なくとも２つの組成物区画を有するシート状の物品；少なくとも２つの組成物区画を有し、１つの区画は物品の全表面積の２〜３０％を占め、第２の区画は物品の全表面積の７０〜９８％を占めるシート様の物品；少なくとも２つの組成物区画を有し、少なくとも１つの区画は手で触った場合に粘着性のない感触を有するシート状の物品；少なくとも２つの組成物区画を有し、１つの区画は０．５〜１０ｇのレベルで存在し、第２の区画は５〜２５ｇのレベルで基材上に存在するシート状の物品；まず洗浄サイクルを通過させて洗剤を送達させたにもかかわらず乾燥機中で高い実質的レベルの布柔軟剤、芳香剤および静電防止剤を送達する洗濯用シート物品；熱い溶融されたほぼ無水の洗剤／ビルダー組成物および第四級アンモニウムの布柔軟剤／脂肪族アルコール組成物を基材上の別々の区画に塗布することによって作られた洗濯用シート物品を含むことができる。
【００３３】
基材への塗布のための洗剤組成物およびコンディショナー組成物
基材に塗布される洗剤組成物は、アニオン性成分、非イオン性成分、ビルダー、キレート剤および補助的成分を含むことができ、かつ好ましくは、ほぼ無水のワックス状成分（普通は周囲温度の固体またはワックスの材料）の共溶融物、または低水含有量のスラリーもしくはペーストである。この洗剤組成物は、たとえワックス状成分の共溶融物であっても、好ましくは溶融物中に凝集された不溶性の粒子を、性能または美観上の理由のために、含有することができる。
【００３４】
洗剤組成物中で使用するアニオン性材料は、好ましくはスルホン酸型および硫酸塩型などのアニオン性界面活性剤である。好ましいスルホン酸型の界面活性剤は、Ｃ９〜１３アルキルベンゼンスルホン酸塩、オレフィンスルホン酸塩、すなわちアルケンスルホン酸塩およびヒドロキシアルカンスルホン酸塩の混合物、ならびに同じく、例えば末端もしくは内部の二重結合を有するＣ１２〜１８−モノオレフィンから気体の三酸化硫黄を用いるスルホン化に続くスルホン化生成物のアルカリ性または酸性での加水分解によって得られるジスルホン酸塩である。本発明の組成物中での用途があり得るアニオン性界面活性剤には、アルキルベンゼンスルホン酸塩が含まれる。適当なアルキルベンゼンスルホン酸塩には、ナトリウム塩、カリウム塩、アンモニウム塩、低級アルキルアンモニウム塩および直鎖または分岐鎖アルキルベンゼンスルホン酸の低級アルカノールアンモニウム塩が含まれる。これらの界面活性剤の前駆体として有用なアルキルベンゼンスルホン酸には、デシルベンゼンスルホン酸、ウンデシルベンゼンスルホン酸、ドデシルベンゼンスルホン酸、トリデシルベンゼンスルホン酸、テトラプロピレンベンゼンスルホン酸およびこれらの混合物が含まれる。本明細書における組成物に有用なアルキルベンゼンスルホン酸の前駆体として機能する好ましいスルホン酸は、アルキル鎖が直鎖でありかつ長さが平均約８〜１６個の炭素原子（Ｃ８〜Ｃ１６）である。本発明において有用な市販されているアルキルベンゼンスルホン酸の例には、Ｐｉｌｏｔ  Ｃｈｅｍｉｃａｌ  Ｃｏｍｐａｎｙから販売されているＣａｌｓｏｆｔ（登録商標）ＬＡＳ−９９、Ｃａｌｓｏｆｔ（登録商標）ＬＰＳ−９９、またはＣａｌｓｏｆｔ（登録商標）ＴＳＡ−９９が含まれる。本発明における使用に最も好ましいのは、スルホン酸のナトリウム塩として市販されているドデシルベンゼンスルホン酸ナトリウム、例えばＣａｌｓｏｆｔ（登録商標）Ｆ−９０、Ｃａｌｓｏｆｔ（登録商標）Ｐ−８５、Ｃａｌｓｏｆｔ（登録商標）Ｌ−６０、Ｃａｌｓｏｆｔ（登録商標）Ｌ−５０、またはＣａｌｓｏｆｔ（登録商標）Ｌ−４０である。最も好ましいのは、ほぼ無水フレークのドデシルベンゼンスルホン酸ナトリウム、例えばＣａｌｓｏｆｔ（登録商標）Ｆ−９０などである。同じく本発明において用途があるものは、直鎖のアルキルベンゼンスルホン酸のアンモニウム塩、低級アルキルアンモニウム塩および低級アルカノールアンモニウム塩、例えば直鎖アルキルベンゼンスルホン酸トリエタノールアンモニウムなどであり、Ｐｉｌｏｔ  Ｃｈｅｍｉｃａｌ  Ｃｏｍｐａｎｙから販売されているＣａｌｓｏｆｔ（登録商標）Ｔ−６０が含まれる。本発明におけるスルホン酸塩界面活性剤の好ましいレベルは、約１．０％〜約５０％である。最も好ましいのは、ドデシルベンゼンスルホン酸ナトリウムの９１％フレークを約３％〜約４０％のレベルで使用することである。
【００３５】
同じく基材に塗布する洗剤組成物中で有用なアニオン性界面活性剤に関しては、アルコールエーテル硫酸塩としても知られているアルキルエーテル硫酸塩も好ましい。アルコールエーテル硫酸塩は、直鎖または分岐鎖アルコールエトキシレートの硫酸モノエステルであり、一般式Ｒ−（ＣＨ２ＣＨ２Ｏ）ｘ−ＳＯ３Ｍを有し、このＲ−（ＣＨ２ＣＨ２Ｏ）ｘ−は好ましくは約０．５〜約９モルのエチレンオキシド（ｘ＝０．５〜９ＥＯ）でエトキシ化されたＣ７〜Ｃ２１アルコールエトキシレートを含んで、例えば０．５〜９ＥＯを含有するＣ１２〜Ｃ１８アルコールであり、Ｍはアルカリ金属またはアンモニウム、アルキルアンモニウムもしくはアルカノールアンモニウムである対イオンである。本発明の一実施形態における使用のために好ましいアルキルエーテル硫酸塩は、約０．５〜約９個のエチレンオキシド部分のエトキシ化度を有するＣ８〜Ｃ１８アルコールエーテル硫酸塩であり、かつ最も好ましいのは約４〜約９個のエチレンオキシド部分のエトキシ化度を有するＣ１２〜Ｃ１５アルコールエーテル硫酸塩であり、７個のエチレンオキシド部分が最も好ましい。アルキルエーテル硫酸塩に言及する場合は、これらの物質は既に塩であり（「硫酸塩」であるから）、最も好ましくかつ最も入手しやすいのはアルキルエーテル硫酸ナトリウム（ＮａＡＥＳとも呼ばれる）であることが理解される。市販されているアルキルエーテル硫酸塩には、Ｐｉｌｏｔ  Ｃｈｅｍｉｃａｌ製ＣＡＬＦＯＡＭ（登録商標）アルコールエーテル硫酸塩、花王社のＥＭＡＬ（登録商標）、ＬＥＶＥＮＯＬ（登録商標）およびＬＡＴＥＭＡＬ（登録商標）製品、およびＳｔｅｐａｎのＰＯＬＹＳＴＥＰ（登録商標）製品が含まれるが、これらのほとんどはかなり低いＥＯ含有量（例えば平均３または４ＥＯ）を有する。あるいは、本発明における使用のためのアルキルエーテル硫酸塩は、所望の鎖長およびＥＯ含有量を有する市販のアルキルエーテル硫酸塩は容易に見出せないが、おそらく非イオン性のアルコールエトキシレート出発材料は見出せるという場合には、アルコールエトキシレート（すなわち非イオン性界面活性剤）のスルホン化によって調製することができる。例えば、ラウリルエーテル硫酸ナトリウム（約３個のエチレンオキシド部分を有する「ラウレス硫酸ナトリウム」）は市場で非常に容易に入手可能であり、かつシャンプーおよび洗剤で大いに普及しているが、これは本発明での使用のためには好ましいエトキシ化のレベルではない。したがって、市販の非イオン性界面活性剤、例えばＮｅｏｄｏｌ（登録商標）２５−７第一級アルコールエトキシレート（Ｓｈｅｌｌ製のＣ１２〜Ｃ１５／７ＥＯ非イオン性界面活性剤）をスルホン化して、市場で供給源を確保するのはより困難であったかもしれないＣ１２〜Ｃ１５／７ＥＯアルキルエーテル硫酸塩を得ることがより現実的である可能性がある。本発明におけるＣ１２〜Ｃ１８／０．５〜９ＥＯアルキルエーテル硫酸塩の好ましいレベルは、約１％〜約５０％である。最も好ましいのは約３％〜約４０％である。
【００３６】
洗剤組成物中で使用することができる他のアニオン性界面活性剤には、アルコール硫酸塩としても知られているアルキル硫酸塩がある。これらの界面活性剤は一般式Ｒ−Ｏ−ＳＯ３Ｎａを有し、ここでＲは約１０〜１８個の炭素原子であり、かつこれらの材料はＣ１０〜Ｃ１８アルコールの硫酸モノエステルとも表示することができ、例はデシル硫酸ナトリウム、パルミチルアルキル硫酸ナトリウム、ミリスチルアルキル硫酸ナトリウム、ドデシル硫酸ナトリウム、獣脂（ｔａｌｌｏｗ）アルキル硫酸ナトリウム、ココナツアルキル硫酸ナトリウム、およびこれらの界面活性剤の混合物、またはＣ１０〜Ｃ２０オキソアルコールの硫酸モノエステル、およびこの鎖長の第二級アルコールのモノエステルである。同じく有用であるのは石油化学に基づいて調製される合成直鎖アルキル基を包含する前記鎖長のアルキル（アルケニル）硫酸塩であり、これらの硫酸塩は脂肪化学原料に基づく対応する化合物の分解性と類似の分解性を有する。洗剤の観点からは、Ｃ１２〜Ｃ１６アルキル硫酸塩およびＣ１２〜Ｃ１５アルキル硫酸塩およびＣ１４〜Ｃ１５アルキル硫酸塩も好ましい。加えて、例えばＳｈｅｌｌ  Ｏｉｌ  Ｃｏｍｐａｎｙから市販品として商標ＤＡＮ（登録商標）で得ることができる２，３−アルキル硫酸塩が適当なアニオン性界面活性剤である。最も好ましいのは、Ｓｔｅｐａｎ  Ｃｏｍｐａｎｙからの９７％粉末ラウリル硫酸ナトリウムの使用であり、Ｐｏｌｙｓｔｅｐ（登録商標）Ｂ−３の商標で認められている。本発明におけるアルコール硫酸塩の好ましいレベルは約１％〜約５０％である。最も好ましいのは約３％〜約４０％である。
【００３７】
脂肪石鹸もアニオン性洗剤成分として洗剤組成物中に組み入れることができる。本明細書で使用する「脂肪石鹸」は、脂肪酸の塩を意味する。例えば、本発明で使用することができる脂肪石鹸は一般式Ｒ−ＣＯ２Ｍを有し、ここでＲは約８〜２４個の間の炭素を有する直鎖もしくは分岐鎖アルキル基またはアルケニル基であり、Ｍはナトリウムあるいはカリウムなどのアルカリ金属またはアンモニウム、アルキルアンモニウム、ジアルキルアンモニウム、トリアルキルアンモニウムあるいはアルカノールアンモニウムなどのカチオンである。洗濯機中で泡を低減する効果を有して（および特に側面投入タブまたは水平タブ洗濯機のために）望ましい成分である脂肪酸石鹸は、好ましくは高級脂肪酸石鹸からなる。脂肪石鹸の原料となり得る脂肪酸は、動物脂肪およびグリースからおよび／または植物油および種油から得られるものなどの天然の脂肪および油、例えば獣脂、水素化獣脂、鯨油、魚油、グリース、ラード、ココナツ油、パーム油、パーム核油、オリーブ油、ピーナツ油、コーン油、ゴマ油、米ぬか油、綿実油、ババス油、大豆油、ヒマシ油、およびこれらの混合物から得ることができる。脂肪酸は、合成的に、例えば、石油の酸化によって、またはフィッシャートロプシュ法による一酸化炭素の水素化によって調製することができる。本発明において特別な用途がある脂肪酸は、直鎖または分岐鎖であり、約８〜約２４個の炭素原子、好ましくは約１０〜約２０個の炭素原子、最も好ましくは約１４〜約１８個の炭素原子を含有する。本発明における使用に好ましい脂肪酸は、獣脂の脂肪酸または水素化獣脂の脂肪酸であり、それらの好ましい塩（石鹸）は、ナトリウム塩およびカリウム塩またはこれらの混合物などのアルカリ金属塩である。他の有用な石鹸は、脂肪酸のアンモニウム塩およびアルカノールアンモニウム塩である。本発明の組成物中に含めることができる脂肪酸は、好ましくは所望の洗浄力および有効な泡低減効果を有するように選択されるであろう。もちろん、泡立ちが望ましい組成物のためには、石鹸含有量を除外または低減されるかまたはより低級な脂肪酸石鹸、例えばラウリン酸ナトリウムを代わりに使用することができるが、これは泡の抑制が望まれる本発明の組成物については好ましい戦略ではない。本発明における脂肪石鹸の好ましいレベルは約１％〜約５０％である。最も好ましいのは約３％〜約４０％である。
【００３８】
洗剤組成物中に含めることができるさらなるアニオン性材料には、アルキルスルホコハク酸の塩が含まれ、これらはスルホサクシネートまたはスルホコハク酸エステルとも呼ばれ、これらはスルホコハク酸のアルコール、好ましくは脂肪族アルコール、特にエトキシ化された脂肪族アルコールとモノエステルおよび／またはジエステルを構成する。好ましいスルホサクシネートはＣ８〜１８脂肪族アルコール基またはこれらの混合物を含む。特に好ましいスルホサクシネートは、それ自身が非イオン性界面活性剤に相当するエトキシ化された脂肪族アルコールから得られる脂肪族アルコール基を含有する。同様に特に優先されるのは、その脂肪族アルコール基が、狭められた同属体分布を有するエトキシ化された脂肪族アルコールから得られるスルホサクシネートである。アニオン性スルホサクシネート界面活性剤は、組成物の重量に対して約１％〜約５０％、より好ましくは組成物の重量に対して３％〜４０％の範囲で組成物中に存在することができる。
【００３９】
本発明の基材に塗布する洗剤組成物は、１つまたは複数の非イオン性材料、例えば非イオン性界面活性剤、脂肪族アルコール、エステル、アミド、ポリオール、ポリプロピレングリコールもしくはポリエチレングリコール、ワックスなども含むことができる。例えば、本組成物は、エトキシ化されたおよび／またはプロポキシ化された第一級アルコール（１０〜１８個の炭素原子ならびにアルコール１モル当りに平均で４〜１２モルのエチレンオキシド（ＥＯ）および／または１〜１０モルのプロピレンオキシド（ＰＯ）を有する）などの非イオン性界面活性剤を含むことができる。さらなる例は、天然起源の１２〜１８個の炭素原子およびアルコール１モル当り平均４〜約１２個のＥＯを有する天然起源のアルコール、例えばココナツ、パーム、獣脂からの脂肪族アルコールまたはオレイルアルコールからの直鎖基を含んだアルコールエトキシレートである。本発明において非イオン性界面活性剤として最も有用であるのは、上記で対応する硫酸塩の前駆体として有用として言及したＣ１４〜Ｃ１５アルコールエトキシレート−７ＥＯ、およびＣ１２〜Ｃ１４アルコールエトキシレート−１２ＥＯであり、約１％〜約５０％で組み入れ、最も好ましくは約１％〜約２０％のレベルで使用する。本発明での使用に好ましい非イオン性界面活性剤には、例えば、Ｓｈｅｌｌ  Ｃｈｅｍｉｃａｌ  ＣｏｍｐａｎｙからのＮｅｏｄｏｌ（登録商標）４５−７、Ｎｅｏｄｏｌ（登録商標）２５−９、またはＮｅｏｄｏｌ（登録商標）２５−１２が含まれる。最も好ましいのは、Ｃ１４〜Ｃ１５アルコールエトキシレート−７ＥＯであるＮｅｏｄｏｌ（登録商標）４５−７およびＣ１２〜Ｃ１４アルコールエトキシレート−１２ＥＯ界面活性剤であるＨｕｎｔｓｍａｎから入手可能なＳｕｒｆｏｎｉｃ（登録商標）Ｌ２４−１２（または性能において実質的に類似の石油原料起源の材料であるＳｈｅｌｌからのＮｅｏｄｏｌ（登録商標）２５−１２）である。２つ以上のアルコールエトキシレート界面活性剤の組合せも、洗濯機中での清浄化性能を最大化するためにおよび基材上の固化された組成物の粘着性を最少化するために洗剤組成物において望まれることがある。
【００４０】
基材への塗布のための洗剤組成物は、アミド型の非イオン性界面活性剤、例えば脂肪酸の、モノエタノールアミン（ＭＥＡ）、ジエタノールアミン（ＤＥＡ）およびモノイソプロパノールアミン（ＭＩＰＡ）などのアルカノールアミンとの縮合物であるアルカノールアシドも含むことができ、これらの縮合物は、化粧品、パーソナルケア、家庭用配合剤および産業用配合剤中で幅広い用途を見出してきた。有用なアルカノールアミドにはエタノールアミドおよび／またはイソプロパノールアミド、例えば脂肪酸のアシル基が通常８〜１８個の炭素原子を含有するモノエタノールアミド、ジエタノールアミドおよびイソプロパノールアミドが含まれる。こうしたジアルカノールアミドは通常液体であるが、モノアルカノールアミドは４０℃〜９０℃の融点を有する固体であり、それがこれらを他の洗剤成分と共溶融することができるのでモノエタノールアミドが本発明において特に好まれる理由である。特に満足できるアルカノールアミドは、ココナツ油混合脂肪酸または例えばＣ１２〜Ｃ１４脂肪酸を主として含有する特別な画分から得られたようなモノ−およびジエタノールアミドであった。ほとんどの用途のためには、トリアルキルグリセリドから調製されたアルカノールアミドが、より低いコスト、製造の容易さおよび許容可能な品質の故に、最も実用的であると考えられている。本発明において特に有用なものは、ココナツ油混合脂肪酸（主としてＣ１２〜Ｃ１４脂肪酸）から得られるモノ−およびジエタノールアミド、例えばＭｃＩｎｔｙｒｅ  Ｇｒｏｕｐ  ＬｉｍｉｔｅｄからＭａｃｋａｍｉｄｅ（登録商標）の商標で入手可能なものなどである。本発明の洗剤組成物への組み込みのために最も好ましいのは、ＭｃＩｎｔｙｒｅから入手可能なココナツモノエタノールアミドであるＭａｃｋａｍｉｄｅ（登録商標）ＣＭＡである。アミド界面活性剤をこれらの洗剤組成物中で使用する場合は、好ましくは１〜５０％および最も好ましくは３％〜約４０％のレベルで組み入れる。
【００４１】
本発明の組成物中で用途があり得るさらなる非イオン性界面活性剤には、Ｃ１２〜Ｃ１６脂肪酸のα−スルホン化アルキルエステルが含まれる。α−スルホン化アルキルエステルは、純粋なアルキルエステルまたは（１）α−スルホン化された８〜２０個の炭素原子を有する脂肪酸のアルキルエステルのモノ塩で、エステルを形成しているアルキル部分は炭素原子１〜６個の直鎖または分岐鎖アルキルである、および（２）α−スルホン化された脂肪酸のジ塩のブレンドであることができ、モノ塩とジ塩の比は少なくとも約２：１である。本明細書において有用なα−スルホン化されたアルキルエステルは通常、脂肪酸のアルキルエステルをＳＯ３などのスルホン化剤でスルホン化することによって調製される。この方法で調製された場合は、α−スルホン化されたアルキルエステルは通常主ではない量の（通常３３重量％未満）エステルの鹸化の結果生じるα−スルホン化された脂肪酸のジ塩を含有する。好ましいα−スルホン化アルキルエステルは、約１０重量％未満の対応するα−スルホン化脂肪酸のジ塩を含有する。
【００４２】
α−スルホン化アルキルエステル、すなわちアルキルエステルスルホン酸塩界面活性剤は、「Ｔｈｅ  Ｊｏｕｒｎａｌ  ｏｆ  Ａｍｅｒｉｃａｎ  Ｏｉｌ  Ｃｈｅｍｉｓｔｓ  Ｓｏｃｉｅｔｙ」、５２号（１９７５年）、３２３〜３２９頁に記載されているように気体ＳＯ３でスルホン化されたＣ６〜Ｃ２２カルボン酸の直鎖エステルを含む。適当な出発材料は、好ましくは石油由来の材料よりもむしろ獣脂、パーム油などの天然の脂肪質物質を含む。特に本発明の洗剤組成物のために好ましいアルキルエステルスルホン酸塩界面活性剤は、構造式Ｒ３−ＣＨ（ＳＯ３Ｍ）−ＣＯ２Ｒ４のアルキルエステルスルホン酸界面活性剤を含み、ここでＲ３は好ましくは天然起源のＣ８〜Ｃ２０の炭化水素鎖であり、Ｒ４は直鎖または分岐鎖のＣ１〜Ｃ６アルキル基であり、Ｍはアルキルエステルスルホネートと水に可溶性の塩を形成するカチオンであり、ナトリウム、カリウム、マグネシウム、およびアンモニウムの各カチオンを含む。好ましくは、Ｒ３はＣ１０〜Ｃ１６脂肪族アルキルであり、Ｒ４はメチルまたはエチルである。最も好ましいのは平均で１２〜１６個の炭素原子を有する脂肪酸分布のα−スルホン化メチルまたはエチルエステルである。例えば、すべてＮｏｒｔｈｆｉｅｌｄ、ＩＬのＳｔｅｐａｎ  Ｃｏ．から入手可能なα−スルホン化エステルＡｌｐｈａ−Ｓｔｅｐ（登録商標）ＢＢＳ−４５、Ａｌｐｈａ−Ｓｔｅｐ（登録商標）ＭＣ−４８、およびＡｌｐｈａ−Ｓｔｅｐ（登録商標）ＰＣ−４８を本発明において使用することができる。α−スルホン化脂肪酸エステル界面活性剤は、洗剤組成物中で約１〜５０重量％のレベルで、最も好ましくは約３重量％〜約４０重量％のレベルで使用することができる。
【００４３】
基材に塗布される洗剤組成物は、アルキルポリグリコシド界面活性剤も含むことができる。アルキルポリグリコシド（ＡＰＧ）は、サッカリド部分がグルコースである場合はアルキルポリグルコシドとも呼ばれ、天然由来の非イオン性界面活性剤である。本発明において使用することができるアルキルポリグリコシドはサッカリドまたはポリサッカリドの脂肪エステル誘導体であり、炭水化物が酸性条件下に脂肪族アルコールと縮合重合によって反応するときに形成される。ＡＰＧは通常コーンに基づく炭水化物ならびに動物、ココナツおよびパーム核の天然の油からの脂肪アルコールから得られる。ＡＰＧを誘導するかかる方法は当技術分野において周知であり、例えばＡＰＧを作る方法およびＡＰＧの化学的性質に関する米国特許第５００３０５７号および第５００３０５７号を参照により本明細書に組み入れる。本発明における使用のために好ましいアルキルポリグリコシド基は、炭水化物から誘導され、かつ１つまたは複数の無水グルコース単位からなる親水性の基を含有する。それぞれのグルコース単位は２つのエーテル酸素原子および３つのヒドロキシル基を１つの末端ヒドロキシル基と共に有することができ、これらが一緒になってグリコシドに水溶性を与える。アルキル炭素鎖の存在がこの分子に疎水性の尾（ｔａｉｌ）をもたらす。
【００４４】
炭水化物分子が脂肪族アルコール化合物と反応すると、単一または複数の無水グルコース単位を有し、それぞれモノグリコシドおよびポリグリコシドと称されるアルキルポリグリコシド分子が形成される。最終のアルキルポリグリコシド生成物は通常、様々な濃度（すなわち重合度）のグルコース単位の分布を有する。
【００４５】
洗剤組成物中で使用することができるＡＰＧは、好ましくはヘキソースもしくはペントースのサッカリドまたはポリサッカリド基（すなわちモノ−、ジ−、トリ−、その他のサッカリド）および６〜２０個の炭素原子を有する脂肪族基を含む。本発明によって使用することができる好ましいアルキルポリグリコシドは、一般式、Ｇｘ−Ｏ−Ｒ１、で表され、Ｇは５個または６個の炭素原子を含有するサッカリド、例えばペントースまたはヘキソースを還元することから得られる部分であり；Ｒ１は６〜２０個の炭素原子を有する脂肪族アルキル基であり；ｘは、ポリグリコシド中のモノサッカリド反復単位の数を表す、ポリグリコシドの重合度である。一般に、ｘは個々の分子に基づけば整数であるが、ＡＰＧの製造方法においては統計的変動があるので、ｘは本発明の洗剤組成物のための成分として使用されるＡＰＧに言及する場合の平均としては非整数になり得る。本発明の組成物中で使用するＡＰＧについては、ｘは好ましくは２．５未満、より好ましくは１〜２の間の値を有する。それからＧを得ることができる例となるサッカリドは、グルコース、フルクトース、マンノース、ガラクトース、タロース、グロース、アロース、アルトロース、イドース、アラビノース、キシロース、リクソースおよびリボースである。グルコースの入手し易さの故に、グルコースがポリグリコシドにおいて好ましい。脂肪族アルキル基は好ましくは飽和であるが、不飽和脂肪族鎖を使用することもできる。一般には、市販のポリグリコシドはＣ８〜Ｃ１６アルキル鎖および１．４〜１．６の平均重合度を有する。
【００４６】
市販のアルキルポリグリコシドは、活性物質５０〜７０％の範囲にある濃縮された水溶液として得ることができ、Ｃｏｇｎｉｓから入手可能である。本発明の組成物における使用のために最も好ましいのは、１．４〜１．７の平均重合度を有し、脂肪族基の鎖長がＣ８〜Ｃ１６であるＡＰＧである。例えば、本明細書における使用のために好ましい１つのＡＰＧはＣ８およびＣ１０（４５：５５の比）の鎖長および１．７の重合度を有する。本発明の洗剤組成物は、従来の洗剤組成物と比較してより少ない環境に対する悪影響しか有していないという利点を有する。本発明において使用されるアルキルポリグリコシドは、低い経口毒性および皮膚毒性ならびに哺乳動物の組織に対する刺激を示す。これらのアルキルポリグリコシドはまた、嫌気性および好気性の両方の条件で生物分解性であり、これらは植物に対する低い毒性を示し、したがって本発明のすすぎ助剤の環境適合性を改善する。炭水化物の性質および優れた水溶性の特徴の故に、アルキルポリグリコシドは高苛性およびビルダー配合物に適合性を示す。洗剤組成物は好ましくはアルキルポリグリコシド界面活性剤の十分な量を、布に対して所望の清浄化のレベルを提供する量で含む。好ましくは、洗剤組成物濃縮物は、約１重量％〜約５０重量％の間のアルキルポリグリコシド界面活性剤を、より好ましくは３〜４０％の間のアルキルポリグリコシド界面活性剤を含む。
【００４７】
洗剤組成物中で使用することができる追加の種類の非イオン性界面活性剤には、アルコキシ化、好ましくはエトキシ化されたまたはエトキシ化され／プロポキシ化された脂肪酸アルキルエステル、好ましくはアルキル鎖中に１〜４個の炭素原子を有するもの、特に脂肪酸メチルエステルが含まれる。さらなる適当な界面活性剤は「ジェミニ（双子）型界面活性剤」として知られているものを含む。この用語は一般に１つの分子当りに２つの親水性基および２つの疎水性基を有する化合物のことに言及するために使用される。これらの基は一般に、スペーサーとして知られているものによって互いに隔てられている。このスペーサーは、一般に炭素鎖であり、その炭素鎖は２つの親水性基をそれらが互いに独立に作用することを可能にするに足る距離に保つのに十分な長さであるべきである。この種の界面活性剤は一般に、異常に低い臨界ミセル濃度および水の表面張力を大幅に低下させる能力が注目される。しかし、例外的な事例ではジェミニ型界面活性剤という表現は、二量体型界面活性剤だけではなく三量体型界面活性剤をも包含するように使用される。適当なジェミニ型界面活性剤の例は、独国特許出願公開第４３２１０２２号による硫酸化されたヒドロキシ混合エーテルまたは国際特許出願公開第９６／２３７６８号による二量体アルコールビス−および三量体アルコールトリス−サルフェートおよびエーテルサルフェートである。独国特許出願公開第１９５１３３９１号によるチップされた二量体および三量体混合エーテルは特にそれらの二官能性および多官能性が注目される。これらのキャップされた界面活性剤は良好な濡れ性を有しおよび低泡であり、これらを機械洗浄法または機械清浄化法における使用に特に適当なものにしている。しかし、国際特許出願公開第９５／１９９５３号、国際特許出願公開第９５／１９９５４号、および国際特許出願公開第９５／１９９５５号に記載されているように、ジェミニ−ポリヒドロキシ脂肪酸アミドまたはポリポリヒドロキシ脂肪酸アミドを使用することも可能である。ポリヒドロキシ脂肪酸アミドは知られている材料であり、通常は還元性糖のアンモニア、アルキルアミンまたはアルカノールアミンを用いる還元的アミノ化およびこれに続く脂肪酸、脂肪酸アルキルエステルまたは脂肪酸クロリドを用いるアシル化によって得ることができる。
【００４８】
キャップされたアルコキシ化された脂肪族アミンおよび脂肪族アルコールも洗剤組成物において、特に本発明の非水性洗剤組成物における使用のために好都合であり得る。キャップされた脂肪族アルコールアルコキシレートおよび脂肪族アミンアルコキシレートにおいて脂肪族アルコールアルコキシレートおよび脂肪族アミンアルコキシレートの末端ヒドロキシル基は、Ｃ１〜Ｃ２０アルキル基、好ましくはメチル基またはエチル基でエーテル化される。
【００４９】
基材に塗布される洗剤組成物は、ポリエーテル材料、例えばポリエチレングリコールもしくはポリプロピレングリコールまたはこれらの混合物を含むこともできる。組成物において有用な１つのこうしたポリエーテルは、ポリエチレングリコール（すなわち「ＰＥＧ」）である。好ましいポリエチレングリコールは、材料が周囲温度で固体であるのに十分に大きい分子量を有する。したがって、好ましい分子量範囲は約９５０〜約１０，０００ｇ／モルである。これらの材料は、Ｄｏｗ  Ｃｈｅｍｉｃａｌ  ＣｏｍｐａｎｙからＣａｒｂｏｗａｘ（登録商標）のブランド名で最も入手しやすい。本発明における使用のための最も好ましいポリエチレングリコールは、約９５０〜約４，０００の分子量を有するＰＥＧである。最も好ましい材料は、Ｕｎｉｏｎ  Ｃａｒｂｉｄｅから入手可能なＣａｒｂｏｗａｘ（登録商標）１４５０、Ｃａｒｂｏｗａｘ（登録商標）３３５０およびＣａｒｂｏｗａｘ（登録商標）４０００であり、それぞれＰＥＧ−３２、ＰＥＧ−７５およびＰＥＧ−９０である。有用な使用の範囲は、ＰＥＧを組成物中に約０．１重量％〜約１０重量％で組み入れることであり、最も好ましいのは約０．５重量％〜約５重量％である。
【００５０】
洗剤組成物中で使用することができるその他の非イオン性ポリエーテル材料は、ポリエーテル例えばポリオキシエチレンセチルエーテル、ポリオキシエチレンオレイルエーテル、ポリオキシエチレンステアリルエーテル、ポリオキシエチレンラウリルエーテル、ポリオキシエチレンイソセチルエーテル、ポリオキシエチレンイソステアリルエーテル、ポリオキシエチレンオクチルドデシルエーテル、ポリオキシエチレンベヘニルエーテル、ポリオキシエチレンデシルテトラデシルエーテル、ポリオキシエチレンコレステリルエーテル、ポリオキシエチレンポリオキシプロピレンエーテルなどである。また、エステル型製品は脂肪酸エステル、ソルビタン脂肪酸エステル、脂肪酸モノグリセリド、脂肪酸トリグリセリド、プロピレングリコール脂肪酸エステル、エチレングリコール脂肪酸エステルなども含む。また、エーテル−エステル型の乳化剤も同様に本明細書において用途があり、ポリエチレングリコールモノステアレート、ポリエチレングリコールモノオレエート、ポリエチレングリコールモノラウレート、ポリオキシエチレン水素化ヒマシ油、ポリオキシエチレングルセリルモノステアレート、ポリエチレングリコールモノイソステアレート、ポリオキシエチレンヒマシ油、ポリオキシエチレンセチルエーテルステアレート、ポリオキシエチレンステアリルエーテルステアレート、ポリオキシエチレンラウリルエーテルステアレート、ポリオキシエチレンラウリルエーテルイソステアレート、ポリエチレングリコールジラウレート、ポリエチレングリコールジステアレート、ポリエチレングリコールジイソステアレート、ポリエチレングリコールジオレエート、ポリエチレンソルビタン脂肪酸エステル、ポリエチレンソルビタン脂肪酸エステルなどを含む。本明細書において使用するための好ましいマトリックス形成材料は、ポリエチレン（１００）ステアリルエーテル、Ｃ１８Ｈ３７（ＯＣＨ２ＣＨ２）ｎＯＨ、ここでｎは平均１００であり、ＵｎｉｑｅｍａからＢｒｉｊ（登録商標）７００として、またはＲｈｏｄｉａからＲｈｏｄａｓｕｒｆ（登録商標）ＴＢ−９７０として得ることができる。
【００５１】
本発明の基材に塗布することができる洗剤組成物はビルダーをも含む。かかるビルダーは、これらだけには限定されないが、炭酸塩、重炭酸塩、ケイ酸塩、ホウ酸塩、ゼオライト、リン酸塩、クエン酸塩、アルカリ金属水酸化物などを含むことができる。水調整剤も本発明の部分でありえて、これらだけには限定されないが、ＥＤＴＡ、ＥＤＴＡの種々の一、二、三および四ナトリウム塩、ＮＴＡ（ニトリロ三酢酸）およびその様々なアルカリ金属塩、およびトリポリリン酸ナトリウムなどのリン酸塩などを含み得る。
【００５２】
ケイ酸塩ビルダーは、液体ケイ酸塩および洗剤組成物中の水の量を最小化することを支援するための無水ケイ酸塩の組合せであってもよい（粘着性を軽減するためおよび洗剤の共溶融物の塗布後の乾燥時間を改善するために）。組成物は、白色度の維持を支援するために１つまたは複数のケイ酸塩物質を含有することができる。好ましいケイ酸塩はアルカリ金属塩（ケイ酸のアルカリ金属塩）であり、ケイ酸ナトリウム塩およびケイ酸カリウム塩が最も好ましい。有用なアルカリ金属ケイ酸塩は一般式Ｍ２Ｏ：ＳｉＯ２で記載することができる様々な形態でありえて、式中のＭはアルカリ金属を表し、その中の２つの酸化物の比率は変化する。最も有用なアルカリ金属ケイ酸塩は、ＳｉＯ２／Ｍ２Ｏの重量比約１．６〜約４を有する。これらのケイ酸塩は組成物に（および得られる洗濯洗浄液に）アルカリ度を与え、かつこのアルカリ度は組成物中に添加された少量の脂肪酸をそれらの対応するアルカリ金属塩（石鹸）に中和するのに必要とされるものよりもはるかに過剰である。好ましいケイ酸塩には、ＰＱ  Ｃｏｒｐｏｒａｔｉｏｎからのケイ酸ナトリウム溶液、Ａ（登録商標）１６４７  Ｓｏｄｉｕｍ  Ｓｉｌｉｃａｔｅ  Ｓｏｌｕｔｉｏｎ（約１．６〜約１．８：１のＳｉＯ２／Ｎａ２Ｏ比を有するケイ酸ナトリウムの４６．８％活性溶液）などが含まれる。同じく本発明の組成物において有用であるのは、ケイ酸カリウム、ＰＱ  ＣｏｒｐｏｒａｔｉｏｎからのＫａｓｉｌ（登録商標）製品などである。例えば、Ｋａｓｉｌ（登録商標）１  Ｐｏｔａｓｓｉｕｍ  Ｓｉｌｉｃａｔｅ  Ｓｏｌｕｔｉｏｎは、本発明において有用であり、約２．５のＳｉＯ２／Ｋ２Ｏ比を有するケイ酸カリウムの２９．１％溶液である。ケイ酸ナトリウムまたはカリウムのいずれかを、本発明の組成物中で約０．５％〜約５％のレベルで使用することが好ましい。同様に有用であるのは、メタケイ酸ナトリウムおよびケイ酸ナトリウム、ＰＱ  Ｃｏｒｐｏｒａｔｉｏｎから入手可能な含水ケイ酸ナトリウムＢｒｉｔｅｓｉｌ（登録商標）Ｃ２４などである。このビルダーは約０．５％〜約２５％で組み入れることが好ましい。
【００５３】
洗剤組成物区画はまた、ポリカルボキシレートなどの水溶性ポリマーを含むこともできる。特に適当なポリマー性ポリカルボキシレートはアクリル酸から得られ、このポリマーおよび対応する中和された形態はポリアクリル酸、２−プロペン酸ホモポリマーまたはアクリル酸ポリマー、およびポリアクリル酸ナトリウム、２−プロペン酸ホモポリマーナトリウム塩、アクリル酸ポリマーナトリウム塩、ポリアクリル酸ナトリウム、またはポリアクリル酸ナトリウム塩を含みかつ一般にそう呼ばれる。本発明の組成物において好ましいのは、約２，０００〜１０，０００、より好ましくは約４，０００〜７，０００、最も好ましくは約４，０００〜５，０００の平均分子量を有するポリアクリル酸ナトリウムである。この種の適当なポリマーは知られている材料であり、例えばＲｏｈｍ  ａｎｄ  ＨａａｓからＡｃｕｓｏｌ（登録商標）の商標で販売されているポリアクリル酸ナトリウムおよびポリアクリル酸である。本発明において特に有用であるのは、平均分子量４５００のポリアクリル酸ナトリウム（例えば、Ａｃｕｓｏｌ（登録商標）４２５、Ａｃｕｓｏｌ（登録商標）４３０、Ａｃｕｓｏｌ（登録商標）４４５、Ａｃｕｓｏｌ（登録商標）４４５ＮＤ、およびこれらの混合物）であり、組成物中での使用に好ましいレベルは約０．１％〜約１％である。
【００５４】
本組成物はまた、アルカリ金属炭酸塩ビルダーを、約１％〜約４０％のレベルで含むこともできる。本発明において最も有用なのは炭酸ナトリウムであるが、炭酸カリウムを使用することも同様にできる。炭酸ナトリウムが無水形態に加えて３つの水和形態を含むいくつかの形態で入手可能であることは周知である。水和形態は、一水和物、七水和物および十水和物を含む。炭酸ナトリウムまたはカリウムの市販されている形態はどれでも本発明における用途がある。
【００５５】
本洗剤組成物は（下記の柔軟剤組成物と同様に）着色料または染料を含有することができる。染料は本発明の組成物中の任意選択の成分である。染料は、顔料、または他の着色料、を含むことができ、それらが洗剤組成物中の他の成分と適合し、製造方法に適合し、かつ布に引き付けられないように選択される。例えば、本発明における使用のための好ましい着色料は、洗剤組成物または柔軟剤組成物に対して約０．００１重量％〜約０．１重量％のＬｉｑｕｉｔｉｎｔ（登録商標）Ｇｒｅｅｎ  ＦＳ（Ｍｉｌｌｉｋｅｎからの）である。他の染料、Ｃ．Ｉ．Ｐｉｇｍｅｎｔ  Ｇｒｅｅｎ  ＃７、Ｃ．Ｉ．Ｒｅａｃｔｉｖｅ  Ｇｒｅｅｎ  ＃１２、Ｆ  Ｄ＆Ｃ  Ｇｒｅｅｎ  ＃３、Ｃ．Ｉ．Ａｃｉｄ  Ｂｌｕｅ  ＃８０、Ｃ．Ｉ．Ａｃｉｄ  Ｙｅｌｌｏｗ  ＃１７、Ｌｉｑｕｉｔｉｎｔ（登録商標）Ｒｅｄ  ＭＸ、Ｆ  Ｄ＆Ｃ  Ｙｅｌｌｏｗ  ＃５、Ｌｉｑｕｉｔｉｎｔ（登録商標）Ｖｉｏｌｅｔ  ＬＳ、Ｆａｓｔ  Ｔｕｒｑｕｉｓｅ  ＧＬＬ、Ｌｉｑｕｉｔｉｎｔ（登録商標）Ｂｌｕｅ  ＭＣ、Ｌｉｑｕｉｔｉｎｔ（登録商標）Ｂｌｕｅ  ＨＰ、またはこれらの混合物も本発明の組成物において有用である。
【００５６】
基材上の洗剤組成物中に含めることができる任意選択の成分には、これらだけには限定されないが、他のビルダー（前述のケイ酸塩および炭酸塩の他に）、アルカリ度または硬水キレート化剤の追加の供給源、ホウ酸塩、エチレンジアミン四酢酸の四ナトリウム、三ナトリウム、二ナトリウムまたは一ナトリウム（「ＥＤＴＡ」およびそれからの対応する塩）、リン酸塩、ゼオライト、ニトリロ三酢酸（「ＮＴＡ」およびそれからの対応する塩）、漂白剤（酸素または塩素に基づく過炭酸塩、過ホウ酸塩、クロロイソシアヌル酸塩など）、蛍光増白剤（例えばＣＩＢＡからのＴｉｎｏｐａｌ（登録商標）など）、染料固定剤、酵素（プロテアーゼ、アミラーゼ、リパーゼ、セルラーゼなど）、バインダー、担体材料および補助的成分、ならびに少量の付加的香料、染料および着色料、溶媒、カチオン性界面活性剤、柔軟剤または静電気防止剤（個別の基材上の布柔軟剤区画に準備されているものに加えて）、水、増粘剤、乳化剤、酸、塩基、塩、ポリマー、漂白触媒、無機または有機吸収剤、粘土、布仕上げ／表面改質ポリマー、ｐＨ調整剤、活性塩、研磨剤、保存料（貯蔵安定性用）および抗菌剤（例えば衣類を消毒するための）、再沈積防止剤および汚れ懸濁化剤（カルボキシメチルセルロース「ＣＭＣ」、および他の合成ポリマーまたは天然ポリマーなど）、乳白剤、消泡剤（例えばシリコーン材料）、シクロデキストリン、レオロジー調整剤、ビタミンおよび他の皮膚のためによい作用物質、油、ナノ粒子、目視可能なプラスチック粒子、他の目視可能なビーズ、光輝剤、装飾性砂粒(ｄｅｃｏｒａｔｉｖｅ  ｇｒａｎｕｌｅ）などが含まれる。
【００５７】
基材への塗布のための布柔軟剤／コンディショニング組成物
本発明の基材に塗布される布柔軟剤組成物は、第四級アンモニウムカチオン性界面活性剤を含むことができる。簡潔には、これらのカチオン性材料は、第四級窒素種（すなわちカチオン）であるという理解の下に第四級界面活性剤と呼ばれ、必然的にアニオン性の対イオンを有する。これに関連して、様々な第四級界面活性剤が利用されるが、非環状第四級界面活性剤が好ましい。例えば、有用な非環状である合成第四級界面活性剤には、直鎖アルキル、分岐鎖アルキル、ヒドロキシアルキル、オレイルアルキル、アシルオキシアルキル、ジアミドアミン、またはジエステル第四級アンモニウム化合物が含まれる。本発明における使用に好ましい第四級界面活性剤は、この材料が溶融されて熱い状態で基材上に塗布されることができるように、周囲温度でワックス状の固体であり、これらは従来のテトラアルキルもしくはテトラエステル第四級化合物材料、またはこれら２つの種類の組合せを含み得る。環状第四級材料、イミダゾリンなどを使用することができるが、本発明においてはそれほど好ましくない。好ましい一実施形態による第四級界面活性剤は、布柔軟剤組成物の重量の約４０％〜約１００％のレベルであり、好ましくは約５０％〜約１００％、最も好ましくは基材上の柔軟剤組成物区画の重量の約９０〜１００％のレベルであり、後者の好ましい範囲は組成物中で芳香剤および染料だけのための余地を残す。
【００５８】
本発明において有用な環状第四級界面活性剤布柔軟化成分の例は、一般式（Ｉ）および（ＩＩ）によって表され、
【００５９】
【化１】
2009533569.tif 000003
一般式（Ｉ）中の、ＲおよびＲ１は個々にＣ１〜Ｃ４アルキル、ベンジル、および−（Ｃ２Ｈ４Ｏ）ｘＺ［ｘは１〜２０の値を有し、Ｚは水素またはＣ１〜Ｃ３アルキルである］からなる群から選択され；Ｒ２およびＲ３はそれぞれＣ８〜Ｃ３０アルキルまたはＲ２はＣ８〜Ｃ３０アルキルでありかつＲ３はＣ１〜Ｃ５アルキル、ベンジル、および−（Ｃ２Ｈ４Ｏ）ｘ−Ｈ［ｘは２〜５の値を有する］からなる群から選択され；Ｘ−はハライド、メチル硫酸、エチル硫酸、メチルリン酸、酢酸、硝酸、またはリン酸の各イオンおよびこれらの混合物からなる群から選択されるアニオンを表す。一般式（Ｉ）の範囲内で記述される第四級界面活性剤の具体的な例には、アルキルトリメチルアンモニウム化合物、ジアルキルジメチルアンモニウム化合物およびトリアルキルメチルアンモニウム化合物が含まれ、これらは、獣脂トリメチルアンモニウムクロリド、ジ獣脂ジメチルアンモニウムクロリド、ジ獣脂ジメチルアンモニウムメチル硫酸塩、ジヘキサデシルジメチルアンモニウムクロリド、ジ（水素化獣脂）ジメチルアンモニウムクロリド、ジオクタデシルジメチルアンモニウムクロリド、ジエイコシルジメチルアンモニウムクロリド、ジドコシルジメチルアンモニウムクロリド、ジ−（水素化獣脂）ジメチルアンモニウムメチル硫酸塩、ジヘキサデシルジメチルアンモニウム酢酸塩、ジ獣脂ジプロピルアンモニウムリン酸塩、ジ獣脂ジメチルアンモニウム硝酸塩、ジ−（ココナツアルキル）ジメチルアンモニウムクロリド、セチルトリメチルアンモニウムクロリド、ステアリルトリメチルアンモニウムクロリド、ジステアリルジメチルアンモニウムクロリド、ラウリルジメチルアンモニウムクロリド、およびトリセチルメチルアンモニウムクロリドが、トリヒドロキシエチルメチルアンモニウムメト硫酸塩、ラウリルジメチルベンジルアンモニウムクロリドなどの他の第四級化合物と共に含まれるが、これらだけには限定されない。これらの材料の多くはＶａｒｉｓｏｆｔ（登録商標）の商標でＤｅｇｕｓｓａで入手可能である。
【００６０】
式（ＩＩ）の第四級界面活性剤は、エステル第四級界面活性剤として知られている。エステル第四級界面活性剤は、優れた生物分解性で注目される。式（ＩＩ）において、Ｒ４は０、１、２または３個の二重結合を有する１２〜２２個の炭素原子の脂肪族アルキル基を表し；Ｒ５はＨ、ＯＨまたはＯ−（ＣＯ）Ｒ７を表し、Ｒ６はＲ５とは独立にＨ、ＯＨまたはＯ（ＣＯ）Ｒ８を表し、Ｒ７およびＲ８はそれぞれ独立に０、１、２または３個の二重結合を有する１２〜２２個の炭素原子の脂肪族アルキル基であり、ｍ、ｎおよびｐはそれぞれ独立に１、２または３である。Ｘ−は、ハライド、メチル硫酸、エチル硫酸、メチルリン酸、硝酸、酢酸、またはリン酸イオンおよびこれらの混合物でもある。有用であるのはＲ５がＯ−（ＣＯ）Ｒ７およびＲ４とＲ７が１６〜１８個の炭素原子を有するアルキル基である化合物、特にＲ６もＯＨを表す化合物である。式（ＩＩ）の化合物の例は、メチル−Ｎ−（２−ヒドロキシエチル）−Ｎ，Ｎ−ジ−（獣脂アシルオキシエチル）アンモニウムメチル硫酸塩、ビス−（パルミトイル）−エチルヒドロキシエチルメチルアンモニウムメチル硫酸塩またはメチル−Ｎ，Ｎ−ビス（アシルオキシエチル）−Ｎ−（２−ヒドロキシエチル）アンモニウムメチル硫酸塩である。不飽和アルキル鎖を含む式（ＩＩ）の第四級界面活性剤の中では、その対応する脂肪酸が５〜８０の間、好ましくは１０〜６０の間、特に１５〜４５の間のヨウ素数（ｉｏｄｉｎｅ  ｎｕｍｂｅｒ）、および３０：７０より大きい、好ましくは５０：５０より大きい、特に７０：３０より大きいシス／トランス異性体比（重量％で）をも有するアシル基が好ましい。市販されている例は、ＳｔｅｐａｎによってＳｔｅｐａｎｔｅｘ（登録商標）の商標で販売されているまたはＤｅｈｙｑｕａｒｔ（登録商標）で出ているＣｏｇｎｉｓ製品またはＡｄｏｇｅｎ（登録商標）およびＲｅｗｏｑｕａｔ（登録商標）の商標で出ているＤｅｇｕｓｓａ製品メチルヒドロキシアルキルジアルキルオキシアルキルアンモニウムメチル硫酸塩である。最も好ましいのはエチルビス（ヒドロキシエチル）−獣脂アルキル、エトキシ化、エチル硫酸塩であるＤｅｇｕｓｓａ−ＧｏｌｄｓｃｈｍｉｄｔからのＡｄｏｇｅｎ  ６６である。本発明において使用されるさらなるエステル第四級界面活性剤は式［（ＣＨ３）２Ｎ＋（ＣＨ２ＣＨ２ＯＣ（Ｏ）−Ｒ）２］Ｘ−または［（ＨＯＣＨ２ＣＨ２）（ＣＨ３）Ｎ＋（ＣＨ２ＣＨ２ＯＣ（Ｏ）−Ｒ）２］Ｘ−を有し、Ｒ＝直鎖で飽和または不飽和の炭素原子１１〜１９個、好ましくは１３〜１７個のアルキル基である。特に好ましい一実施形態では、脂肪酸残基は獣脂脂肪酸残基である。Ｘ−はハライド、例えばクロライドまたはブロマイド、メチルリン酸、エチルリン酸、メチル硫酸、エチル硫酸、酢酸、硝酸、リン酸およびこれらの混合物を表す。
【００６１】
さらなる有用な非環状第四級アンモニウム布柔軟剤には、式（ＩＩＩ）の第四級界面活性剤が含まれ、Ｒｅｗｏｑｕａｔ（登録商標）Ｗ２２２ＬＭまたはＣＲ３０９９の名称で得ることが可能であり、これらは柔軟性に加えて安定性および色の保護を提供する。
【００６２】
【化２】
2009533569.tif 000004
式中、Ｒ２１およびＲ２２はそれぞれ独立に炭素原子１２〜２２個で０、１、２または３個の二重結合を有する脂肪族基を表す。
【００６３】
同様に、式（ＩＶ）のアミドアミン第四級界面活性剤を使用することが可能である。
【００６４】
【化３】
2009533569.tif 000005
式中、Ｒ１７は１２〜２２個の炭素原子を有し、０、１、２または３個の二重結合を有する脂肪族アルキル基でよく、ｓは０〜５の間の値であることができ、Ｒ１８およびＲ１９は互いに独立にそれぞれＨ、Ｃ１〜４アルキルまたはヒドロキシアルキルである。好ましい化合物はＴｅｇｏ  Ａｍｉｄ（登録商標）Ｓ１８の名称で得ることが可能なステアリルアミドプロピルジメチルアミン、またはＳｔｅｐａｎｔｅｘ（登録商標）Ｘ９１２４の名称で得ることが可能な３−獣脂アミドプロピルトリメチルアンモニウムメチル硫酸塩などの脂肪酸アミドアミンであり、これらは良好なコンディショニング効果によってだけではなく、色移り抑制効果および特に良好な生物分解性によっても特徴付けられる。少なくとも１つのアルキル鎖がエステル基および／またはアミド基によって中断されている（ｉｎｔｅｒｒｕｐｔｅｄ）アルキル化第四級アンモニウム化合物、特にＮ−メチル−Ｎ−（２−ヒドロキシエチル）−Ｎ，Ｎ−（ジ獣脂アシルオキシエチル）アンモニウムメチル硫酸塩および／またはＮ−メチル−Ｎ−（２−ヒドロキシエチル）−Ｎ，Ｎ−（パルミトイルオキシエチル）アンモニウムメチル硫酸塩が特に好ましい。基材上の固体布コンディショナー区画の好ましい実施形態は、Ｒｅｗｏｑｕａｔ（登録商標）ＷＥ−１８−Ｅ−ＵＳ（Ｄｅｇｕｓｓａからの特許エステル第四級界面活性剤）、ＣｒｏｄａからのＩｎｃｒｏｓｏｆｔ（登録商標）Ｔ−９０、またはＳｔｅｐａｎからのＳｔｅｐａｎｔｅｘ（登録商標）ＶＡ−９０もしくはＳｔｅｐａｎｔｅｘ（登録商標）ＨＴＳ−１００、またはこれらの混合物を第四級界面活性剤として含み、好ましくは全組成物に対して約４０重量％〜約１００重量％存在する。基材上の布柔軟剤区画の最も好ましい組成物は、約９０〜１００％がＳｔｅｐａｎｔｅｘ（登録商標）ＨＴＳ−１００および／またはＶａｒｉｓｏｆｔ（登録商標）ＤＳ−１５０および／またはＡｄｏｇｅｎ（登録商標）６６であり、固化した区画が美観のための色および乾燥サイクルにおいて布に移行する能力がある芳香剤も有するように約０．１〜１０％の芳香剤および有効量の着色料を伴っている。
【００６５】
消費者の受容、製品の認識および思い起こしのために、および最も重要なことには乾燥機内の布に実質的な芳香を与えるために、好ましくは本発明の布柔軟剤組成物区画に芳香剤を加える。芳香剤の強さおよび香料の特徴に依存して、芳香剤の好ましい量は布コンディショニング組成物の組成に基づいて約０．１重量％〜約１０重量％である。芳香剤の例の一部には、これらだけには限定されないが、Ｇｉｖａｕｄａｎ  ＦｒａｇｒａｎｃｅｓからのＵＮ０６３５０３／００、ＵＮ０６３５０７／００、ＵＮ０６３５０６／００、ＵＮ０６３５１１／００、ＵＮ０６３５０５／００、およびＵＮ０６３５１３／００、ならびに（Ｉｎｔｅｒｎａｔｉｏｎａｌ  Ｆｌａｖｏｒｓ  ａｎｄ  Ｆｒａｇｒａｎｃｅｓからの）Ｆｒｅｓｓｉａ−４９７およびＭｏｕｎｔａｉｎ  Ｂｒｅｅｚｅ芳香剤が含まれる。どの芳香材料、合成由来または天然由来のどちらでも、またはこれら２つの組合せでも本発明の洗濯用物品中の洗剤区画および柔軟剤区画の両方のために有用である。
【００６６】
静電気防止および柔軟化（上記第四級材料）および布の芳香付けのために必要な有効成分に加えて、柔軟剤区画はシリコーン化合物およびアミノシリコーン化合物、ベタイン、デンプン、カチオン性ポリマーおよび両性ポリマー、しわ防止添加物、粘土（例えば、ベントナイト）、カチオン性シリカ、ワックスまたは石鹸のような溶融可能なマトリックス材料（好ましくは、脂肪アルコール、ポリエチレングリコール、ソルビタンエステル、シリコーンワックス、ポリエチレンワックス）、バインダー、担体材料、染料および着色料、蛍光増白剤、溶媒、乳白剤、ビタミンおよび他の有益剤、油、ナノ粒子、可視プラスチック粒子、可視ビーズまたは柔軟剤マトリックスに閉じ込められる他の装飾性材料なども含むことができる。例えば、Ｃ１０〜Ｃ１８アルコールなどの脂肪アルコール乳化性ワックスを溶融された第四級に加えて基材に塗布することができる柔軟剤溶融組成物を形成することができる。脂肪アルコールが必要とされる場合は、好ましいアルコールは「セテアリル」アルコール（セチルアルコールおよびステアリルアルコールの混合物）Ｃｏｇｎｉｓから入手可能なＬａｎｅｔｔｅ（登録商標）Ｏなどであり、これらの材料は基材への塗布に先立って第四級界面活性剤と共にたやすく共溶融することができる。柔軟剤組成物は、通常の冷たいまたは温かい洗浄サイクルの間にはたいてい不溶である。基材上の柔軟剤区画は水で濡れた場合により低い接触角を有し、湿度の高い貯蔵条件において水を吸収する傾向を示さない。布柔軟剤組成物区画は粘着性を示さず、湿度の高い貯蔵条件において貯蔵後も消費者の手にくっつかない。先に言及した通り、基材として好ましい不織布材料を使用する場合は、布柔軟剤区画は全体的に第四級でよく、少量の染料および香料を有する。すなわち、先行技術に記載されているような脂肪族アルコールのマトリックスおよび剥離材料の必要性はない。
【実施例】
【００６７】
本発明の物品および製造方法
具体的な、ただし非限定的な本発明の洗濯用物品の実施形態が下の表１〜３に描かれている。表１は、基材への塗布に適当な洗剤組成物を製造するための上記の洗剤成分の組合せを示す。表１に記載されている組成１〜１０は、重量パーセント（重量％）で表した「理論量」、すなわち、組成は混合後にバッチ中にあったものを反映するように計算され、水の重量％は市販品として１００％未満の有効量（ａｃｔｉｖｅ）で供給された個々の原料から寄与されたすべての水の合計である。しかし、組成１は、この組成物が普通の液体として始まったので、基材上で乾燥後の従来の洗濯用洗剤の成分の理論量を表している（したがって、表示「乾燥された」は、基材上で０％を意味している）。残りの組成２〜１０はどれも加熱された共溶融物であり、示された理論量は、組成物中のすべての水はワックス状の区画内に留まる傾向があるので、やはり基材上の量である。表２は、基材への塗布に適当な布柔軟化／コンディショニング／静電気防止剤組成物１１〜１７を製造するための上記の成分の組合せを示す。先の表と同じく、表２は理論的または有効パーセント（重量％）を表す。最後に、表３は、本発明の洗濯用物品を製造するための様々な基材材料上の様々な担持重量における表１および２からの組成の組合せを示す。表４および図２５〜２７に示しているのは様々な性能特性、例えば白色度の維持（清浄化性能）、基材から乾燥機中の衣類に送達される布柔軟剤の量などであり、これは以下により詳細に説明する。
【００６８】
【表１−１】
2009533569.tif 000006
【００６９】
【表１−２】
2009533569.tif 000007
【００７０】
【表１−３】
2009533569.tif 000008
【００７１】
【表１−４】
2009533569.tif 000009
【００７２】
【表２】
2009533569.tif 000010
【００７３】
【表３−１】
2009533569.tif 000011
【００７４】
【表３−２】
2009533569.tif 000012
＊小括弧内にある最初の数は表１および２からの組成物番号を表示している；２番目の数は担持量（ｇ）を示している。洗剤組成物１を使用している物品は乾燥された重量である（例えば、水の含有量を乾燥しつくした後は１２ｇ）。
＊＊不織布材料：Ｓ１−Ｓａｎｄｌｅｒ  Ｓａｗａｌｏｏｍ（登録商標）２６１１、１００％ビスコース；Ｓ２−Ｓａｎｄｌｅｒ  Ｓａｗａｌｏｏｍ（登録商標）２６２１、１００％ＰＥＴ；Ｓ３−Ｓａｎｄｌｅｒ  Ｓａｗａｌｏｏｍ（登録商標）６０００、ビスコース／ＰＥＴ／ＰＰ；Ｓ４−Ｓａｎｄｌｅｒ  Ｓａｗａｌｏｏｍ（登録商標）６３５１、ビスコース／ＰＥＴ／ＰＰ；Ｓ５−Ｓａｎｄｌｅｒ  Ｓａｗａｌｏｏｍ（登録商標）６６００、ビスコース／ＰＥＴ／ＰＰ；Ｓ６−Ｓａｎｄｌｅｒ  Ｓａｗａｌｏｏｍ（登録商標）６７００、ＣＶ／ＰＥＴ／ＰＰ；Ｔ１−Ｔｅｘｅｌ（登録商標）０４５３１、ビスコース／ポリエステル；Ｔ２−Ｔｅｘｅｌ（登録商標）０４５３１、ビスコース／ポリエステル；Ｈ１−ＨＤＫ  ４０１；Ｈ２−ＨＤＫ  ３３０；Ｈ３−ＨＤＫ  ＃４：Ｈ４−ＨＤＫ  ＃５；Ｈ５−ＨＤＫ  ＃２；Ａ１−Ａｈｌｓｔｒｏｍ  １１Ｂ０４．３１１０；Ａ２−Ａｈｌｓｔｒｏｍ  ＶＰＭ７．１；Ａ３−Ａｈｌｓｔｒｏｍ  Ｎｅｅｄｌｅｐｕｎｃｈ。
【００７５】
【表４−１】
2009533569.tif 000013
【００７６】
【表４−２】
2009533569.tif 000014
。
【００７７】
組成物および表１〜３の洗濯用物品の製造方法
表２の柔軟剤組成物１１〜１５のために、第四級界面活性剤Ｓｔｅｐａｎｔｅｘ  ＨＴＳ−１００および任意選択でセテアリルアルコールを溶融されるまで加熱し（約６５℃）、次いで任意選択の香料と均一になるまで混合した。熱い溶融された混合物は、様々な不織布シートに表３に示された重量で塗布することができる。必要なら様々な好ましい第四級化合物を共溶融することができる。
【００７８】
共溶融された洗剤実施例：Ｂｒｉｊ  ７００（ポリオキシエチレン−１００ステアリルエーテル、Ｕｎｉｑｅｍａ）２７５グラムおよびＣａｒｂｏｗａｘ  ３３５０（Ｕｎｉｏｎ  Ｃａｒｂｉｄｅ）２５グラムを大きい容器中で合わせて８５℃に加熱して固体を溶融した。Ｎｅｏｄｏｌ  ４５−７（Ｃ１４〜Ｃ１５第一級アルコールエトキシレート７ＥＯ、Ｓｈｅｌｌ  Ｃｈｅｍｉｃａｌｓ）８５ｇおよびＣａｌｓｏｆｔ  Ｆ−９０（直鎖アルキルベンゼンスルホン酸ナトリウム、Ｐｉｌｏｔ  ｃｈｅｍｉｃａｌ  ｃｏｍｐａｎｙ）３３５ｇを加熱された混合物に加えて完全に混合させた。ホウ砂十水和物２１０ｇ、無水炭酸ナトリウム１１５ｇ、Ｔｉｎｏｐａｌ  ＣＢＳ−Ｘ（Ｃｉｂａ）２ｇ、Ａｃｕｓｏｌ  ４３０（ポリアクリレート、Ｒｏｈｍ  ａｎｄ  Ｈａａｓ）２８ｇ、Ｌｉｑｕｉｔｉｎｔ  ｂｌｕｅ  ＨＰ（１％溶液、Ｍｉｌｌｉｋｅｎ）４ｇ、ＥＤＴＡ四ナトリウム５ｇ、および香料（Ｍｔ  Ｂｒｅｅｚｅ、ＩＦＦ）９ｇを加えた。洗剤成分を８５℃で完全に混合した。任意選択で粘度を６重量％までの水を加えることによって調節してもよい。通常、どの溶融された洗剤組成物も約１〜１００ｇが不織布上にコートされ、そこで冷めると固化する。
【００７９】
追加の共溶融された洗剤実施例、表１の２Ａなど：Ｍａｃｋａｍｉｄｅ  ＣＭＡ（コカミドＭＥＡ、ＭｃＩｎｔｙｒｅ  Ｇｒｏｕｐ  ＬＴＤ．）２３４グラムを大きな容器中に入れて撹拌しながら８５℃まで加熱して固体を溶融させた。Ｓｕｒｆｏｎｉｃ  Ｌ２４−１２（Ｃ１２〜Ｃ１４／１２ＥＯ、Ｈｕｎｔｓｍａｎ  Ｃｏｒｐｏｒａｔｉｏｎからのアルコールエトキシレート）４６０ｇを加えて完全に混合した。Ｃａｌｓｏｆｔ  Ｆ−９０（直鎖アルキルベンゼンスルホン酸ナトリウム、Ｐｉｌｏｔ  ｃｈｅｍｉｃａｌ  ｃｏｍｐａｎｙ）９５ｇをゆっくり加えた。最後に、ホウ砂十水和物２５０ｇ、無水炭酸ナトリウム１３９ｇ、ドデシル硫酸ナトリウム１３５ｇ、Ｔｉｎｏｐａｌ  ＣＢＳ−Ｘ（Ｃｉｂａ）２ｇ、Ａｃｕｓｏｌ  ４４５  ＮＤ（ポリアクリレート、Ｒｏｈｍ  ａｎｄ  Ｈａａｓ）１３ｇ、Ｌｉｑｕｉｔｉｎｔ  ｂｌｕｅ  ＨＰ（１％溶液、Ｍｉｌｌｉｋｅｎ）４．５ｇ、Ｖａｒｉｓｏｆｔ  ＤＳ  １５０（ジ（水素化獣脂）ジメチルアンモニウムメチル硫酸塩、Ｄｅｇｕｓｓａ−Ｇｏｌｄｓｃｈｍｉｄｔ）２５ｇおよび香料（Ｍｔ  Ｂｒｅｅｚｅ，ＩＦＦ）１０ｇを加えてこの最終混合物を８５℃で完全に混合する。次いで得られた溶融物１〜１００ｇが不織布上にコートされ、そこで冷めると固化する。
【００８０】
商業的加工例の説明
洗剤片配合物および柔軟剤片配合物の両方とも、高められた温度で（１２０°Ｆ〜１９０°Ｆ）標準的な混合タンクおよび撹拌を使用してブレンドされる。加える量の程度は装置の混合および加熱の能力によって変わり得る。洗剤ストライプを基材に塗布する１つの方法は、不織布を洗剤片ブレンドでコートされた回転シリンダー上に通すグラビア／キス型（Ｇｒａｖｕｒｅ／Ｋｉｓｓ  ｔｙｐｅ）の塗布を使用する。シリンダーは洗剤ブレンドの容器中に部分的に漬けられて回転してそれ自身をコートし、それによって洗剤を不織布に転写する。工程パラメーターが、ライン速度５〜３０フィート／秒；シリンダー速度５〜３０ｒｐｍ；容器温度１２０°Ｆ〜１９０°Ｆ；シリンダー温度１２０°Ｆ〜１９０°Ｆの場合は、５インチ×６インチの不織布区域中で５〜２０グラムの洗剤重量を達成することができる。洗剤ストライプは、正しい洗剤重量を不織布の区域上へ正確に計量するスロットダイ装置を使用してコートすることもできる。
【００８１】
柔軟剤片を不織布に塗布する方法は、タンクから適切な寸法のスロットまたは穴を通してバルブ付の重力供給のように簡単でよい。この場合重量はライン速度、ブレンドの温度、および計量バルブの設定によって制御される。より正確な塗布方法は、不織布上への柔軟剤片ブレンドを、それがスロットダイを通過するときに正確に計量するスロットダイ装置を使用することである。
【００８２】
試験方法
白色度の維持はその全体を本明細書に組み入れる米国特許出願第２００６／０１８３６５６号「高められた白色度」によって試験した。静電気低減：米国標準洗濯機中で中間サイズの負荷量のバラスト（５ｌｂのポリ／コットン枕カバー）、硬度１５０ｐｐｍの水、洗剤およびコットン布見本を標準洗浄サイクルに通す。次いで布を米国標準衣類乾燥機に移し、布を「高」で所定の時間乾燥する。乾燥サイクルの終わりに、布見本を１つずつ取り出して静電気メーターに当てる。この読みを記録して平均する。試験の間陰性対照は布のある負荷量を洗濯機または乾燥機中に何も添加物を用いずに洗浄および乾燥する。次いで陰性対照の結果を１に正規化し、この係数を試験における他の読みを正規化するために使用する。不織布の加工性：洗剤を様々な不織布に塗布し、洗剤が基材上で乾燥および固化するのに要した時間の量によって加工性を決定した。固化後および冷却中に、洗剤区域を触ることによって粘着性を決定した。乾燥機中で送達された柔軟剤のパーセント：洗濯用物品が製造されたときに物品に塗布された柔軟剤の正確な量を測定する。洗浄サイクル後、洗濯用物品を再度秤量して洗濯機中で失われた布柔軟剤の量を決定する。乾燥サイクル後、洗濯用物品を秤量して乾燥機中の物品から分配された柔軟剤の量を決定する。乾燥機中で分配された布柔軟剤のパーセンテージは、洗濯用物品について予想される静電気の低減に直接対応することが示された。
【００８３】
評価の目的のために、米国の洗浄条件下で、Ｋｅｎｍｏｒｅ  Ｅｌｉｔｅ洗濯機および乾燥機を使用した。以下の条件を使用した：中程度の負荷量、温洗浄（１００°Ｆ）、冷すすぎ、高動力撹拌、洗浄サイクル１４分間、すすぎ１回。硬水を加えて１５０ｐｐｍにする。洗浄水を満たす。洗剤シート試作品を水に入れて３０分間撹拌する。約５．５ｌｂのバラスト（約５０ポリエステル／コットン被洗浄布または他の適当なバラスト）を加える。洗濯機の洗浄サイクルが終了したら、シート試作品を含む負荷物を乾燥機に移す。濡れたバラストの芳香を評価する。洗浄性能の評価は通常標準汚れセットに基づく。この汚れのセットは、消費者がしばしば遭遇する代表的な汚れの種類である油状／グリース状汚れ、高度に着色された食品の汚れ、タンパク質に基づく汚れ、デンプンに基づく汚れ、および粒子状汚れを含む。洗剤性能を評価するための試験用汚れの製造者が多数ある。例えば：Ｅｍｐｉｒｉｃａｌ  Ｍａｎｕｆａｃｔｕｒｉｎｇ  Ｃｏｒｐｏｒａｔｉｏｎ、ＥＭＰＡ、およびＴｅｓｔ  Ｆａｂｒｉｃｓ。これらの製造者は試験用の個々の汚れまたは１８までの塗布された汚れを付けた布見本を製造している。ＥＭＰＡ  １０２は複数汚れの見本の代表であり、上に列挙した汚れの範囲にわたる１７の汚れを含有している。通常、清浄化性能の決定には、清浄化の統計的に有意な差を得るために反復洗浄実験が必要である。この方法および材料に特有の変動性のレベルの故に、有意な結果を得るために３〜１０回の反復が必要とされるのは普通である。個々の汚れの除去の評価は、比色計を使用して決定される汚れの色の変化によって決定される。乾燥機の内側を、イソプロパノールを浸み込ませたテリー（ｔｅｒｒｙ）洗浄クロスで拭く。乾燥させる。乾燥機を高温（高／コットン設定）で６０分間に設定する。ラボタイマーを使用して乾燥サイクルを計時し、５０分後に停止する。これはサイクルの終わりごろに乾燥機が冷めないことを確実にするためである。１０人の訓練された専門家パネルを使って芳香を評価する。評価は１（効果なし）から５（極めて大きい効果）の尺度によって行われる。
【００８４】
洗濯機を通じた布柔軟剤の保持および衣類乾燥機におけるその効率的な送達が、解放されたままのまたは様々な配置で折り畳まれた多くの基材のどちらについても図２５〜２７においてグラフ上で示されている。図２５は、ＨＤＫ  Ｉｎｄｕｓｔｒｉｅｓ，Ｉｎｃ．からのＨＤＫ  ４０１などの平坦／ロフト付基材を使用した結果を、ＨＤＫ  Ｉｎｄｕｓｔｒｉｅｓ，Ｉｎｃ．からのＨＤＫ  ＃２などの「ロフト付だけの」基材、およびＡｈｌｓｔｒｏｍ  ｎｅｅｄｌｅｐｕｎｃｈなどの穿孔された不織布を使用した結果に対して示す。これらの３つの異なる基材は、同じ布柔軟剤組成物１３（表２）を有してかなり異なった効率を示している。図２５の結果によって示される通り、片寄り（すなわち平坦側およびロフト付の側、ならびに不均一な断面）を有する不織布はロフト付の側だけ（均一な断面）を有する類似の不織布、および先行技術の物品における使用が知られた穿孔基材よりも性能が優れている。不均一断面を有する不織布は、洗濯機中で失われる柔軟剤が１０％だけ、および衣類乾燥機中での不織布からの目覚しい７５％の送達という結果であった。同様に図２６の結果が示すように、片寄り（すなわち平坦側およびロフト付の側、ならびに不均一な断面）を有する不織布は、もう１つの類似の平坦側だけを有する不織布で均一な断面およびＡｈｌｓｔｒｏｍ  ＶＰＭ７．１など伝統的なカーディングされたウェブを有するＡｈｌｓｔｒｏｍ  １１Ｂ０４．３１１０よりも性能が優れている。不均一な断面を有する不織布は、洗濯機中で失われる柔軟剤が１０％だけ、および衣類乾燥機中での不織布からの目覚しい７５％の送達という結果であった。好ましい積層基材の洗濯機中での布柔軟剤の高い保持および対応する乾燥機中での柔軟剤の高い送達を与える能力は片寄りに起因する。実際に、ロフト付の側は洗濯機中での布柔軟剤の保持を支援し、平坦側は乾燥機中での柔軟剤の送達を可能にする。図２７は基材からの布柔軟剤の解放は優先的により細いデニールのファイバーで形成された平坦でより密度の高い側からであることを示している。図２７に示されている通り、基材がそれ自身の上に折り畳まれてステープルで閉じられている場合には、洗浄を通じて保持される布柔軟剤の量および乾燥機中で送達される布柔軟剤の量に目立った相違があり、平坦側が外に残るか中に入るかには関係がない。このデータは、物品がコートされた平坦側を中にして折り畳まれステープルでとめられた場合には布柔軟剤は折り畳まれた物品の内部にトラップされて残るので、柔軟剤は優先的に不均一な断面の不織布の平坦側を通って外へ分配されることを示している。しかし、コートされたロフト付の側を内側に折り畳まれて平坦側が外に残された場合は、布柔軟剤は折り畳まれた物品を通してにじみ出る。どの理論にも束縛されたくはないが、布柔軟剤は部分的に溶融しておよび／または揮発して、ファイバー直径および密度の勾配に沿った「ウイッキング」または毛管作用に起因してより細いファイバーを通過して外に出ると考えられている。したがって、図２７は好ましい基材は不均一な断面を有し、平坦側とロフト付の側の両方を有する不織布であり、この結果は想定外でありかつこれまではまったく知られていなかっ���。
【００８５】
本発明者らは、少なくとも２つの組成物区画を有する布の洗浄およびコンディショニングの両方のために使用される洗濯用物品であり、洗濯機を通じて基材上に保持された後に実質的な量の芳香およびコンディショニングの利便を乾燥機中の布に送達する物品を説明してきた。本発明の物品はまた、良好な清浄化性能を有しかつ液体の洗濯用洗剤に匹敵する白色度の維持をもたらすように最適化されていることも示された。この物品は、不均一な断面を有する不織布基材、特に少なくとも２種類のファイバーを有しかつ平坦でより密に接合された側およびより粗に接合されたロフト付の側を有する積層不織布を組み込むことによって最適化された。本発明者らはまた、これらだけには限定されないが、洗剤組成物および布柔軟剤組成物の両方のための熱溶融物の塗布を含む、かかる物品を製造する方法も説明した。本発明者らはまた、本発明の物品を衣類洗濯機中で使用し、次いでそれを濡れた衣類と共に乾燥機中へ持ち込み、そこで布コンディショニング組成物が基材から乾燥機中の布へ解放されることを含む、布を清浄化しかつコンディショニングする方法も説明した。最後に、本発明者らは、キャンディー業界と類似の方法で単一用途の形状に成形することができるか、または溶融状態で加熱された堰を有する箱を経て冷却ベルト上に滴下してそのままバルクで箱に入れて、粉塵の出やすい洗濯用洗剤粉末の代替品として販売することができるワックス状外観の洗濯用洗剤のペレットまたはトローチ様のものを製造することができる、溶融成形された洗濯用洗剤のための組成物を説明した。
【図面の簡単な説明】
【００８６】
【図１】図１は、基材上に少なくとも２つの別々の組成物区画を含む本発明の様々な実施形態を表す図である。
【図２】図２は、基材上に少なくとも２つの別々の組成物区画を含む本発明の様々な実施形態を表す図である。
【図３】図３は、基材上に少なくとも２つの別々の組成物区画を含む本発明の様々な実施形態を表す図である。
【図４】図４は、基材上に少なくとも２つの別々の組成物区画を含む本発明の様々な実施形態を表す図である。
【図５】図５は、基材上に少なくとも２つの別々の組成物区画を含む本発明の様々な実施形態を表す図である。
【図６】図６は、基材上に少なくとも２つの別々の組成物区画を含む本発明の様々な実施形態を表す図である。
【図７】図７は、基材上に少なくとも２つの別々の組成物区画を含む本発明の様々な実施形態を表す図である。
【図８】図８は、基材上に少なくとも２つの別々の組成物区画を含む本発明の様々な実施形態を表す図である。
【図９】図９は、少なくとも２つの別々の組成物区画および物品を横断する穿孔を含む本発明の様々な実施形態を表す図である。
【図１０】図１０は、少なくとも２つの別々の組成物区画および物品を横断する穿孔を含む本発明の様々な実施形態を表す図である。
【図１１】図１１は、少なくとも２つの別々の組成物区画および物品を横断する穿孔を含む本発明の様々な実施形態を表す図である。
【図１２】図１２は、少なくとも２つの別々の組成物区画および物品を横断する穿孔を含む本発明の様々な実施形態を表す図である。
【図１３】図１３は、少なくとも２つの別々の組成物区画および物品を横断する穿孔を含む本発明の様々な実施形態を表す図である。
【図１４】図１４は、少なくとも２つの別々の組成物区画および物品を横断する穿孔を含む本発明の様々な実施形態を表す図である。
【図１５】図１５は、少なくとも２つの別々の組成物区画および物品を横断する穿孔を含む本発明の様々な実施形態を表す図である。
【図１６】図１６は、少なくとも２つの別々の組成物区画および物品を横断する穿孔を含む本発明の様々な実施形態を表す図である。
【図１７】図１７は、少なくとも２つの別々の組成物区画および物品を横断する穿孔を含む本発明の様々な実施形態を表す図である。
【図１８】図１８は、少なくとも２つの別々の組成物区画および物品を横断する穿孔を含む本発明の様々な実施形態を表す図である。
【図１９】図１９は、少なくとも２つの別々の組成物区画および物品を横断する穿孔を含む本発明の様々な実施形態を表す図である。
【図２０】図２０は、基材上に少なくとも２つの別々の組成物区画のより装飾的な配置を有する本発明の一実施形態を表す図である。
【図２１】図２１は、少なくとも２つの別々の組成物区画のより装飾的な配置および物品を２つのより小さい断片に分割するための穿孔を有する本発明の一実施形態を表す図である。
【図２２】図２２は、基材上に少なくとも２つの別々の組成物区画のより装飾的な配置を有する本発明の追加の実施形態を表す図である。
【図２３】図２３は、基材上に少なくとも２つの別々の組成物区画のより装飾的な配置を有する本発明の追加の実施形態を表す図である。
【図２４】図２４は、２つの別々の組成物区画および使用者が物品を保持することができる１つの空白区画、あるいは任意選択で３つの別々の組成物区画を有する基材を有する本発明の一実施形態を表す図である。
【図２５】図２５は、様々な不織布基材について、洗浄および乾燥サイクルを通じて本発明の物品から失われる布柔軟剤のパーセンテージ（％）を示す棒グラフである。
【図２６】図２６は、様々な不織布基材について、洗浄および乾燥サイクルを通じて本発明の物品から失われる布柔軟剤のパーセンテージ（％）を示す棒グラフである。
【図２７】図２７は、開いたまま、または平坦側を中もしくは平坦側を外のいずれかにして折り畳んでステープル止めした特定の１つの不織布基材について、洗浄および乾燥サイクルを通じて本発明の物品から失われる布柔軟剤のパーセンテージ（％）を示す棒グラフである。
【図１】
2009533569.tif 000015
【図２】
2009533569.tif 000016
【図３】
2009533569.tif 000017
【図４】
2009533569.tif 000018
【図５】
2009533569.tif 000019
【図６】
2009533569.tif 000020
【図７】
2009533569.tif 000021
【図８】
2009533569.tif 000022
【図９】
2009533569.tif 000023
【図１０】
2009533569.tif 000024
【図１１】
2009533569.tif 000025
【図１２】
2009533569.tif 000026
【図１３】
2009533569.tif 000027
【図１４】
2009533569.tif 000028
【図１５】
2009533569.tif 000029
【図１６】
2009533569.tif 000030
【図１７】
2009533569.tif 000031
【図１８】
2009533569.tif 000032
【図１９】
2009533569.tif 000033
【図２０】
2009533569.tif 000034
【図２１】
2009533569.tif 000035
【図２２】
2009533569.tif 000036
【図２３】
2009533569.tif 000037
【図２４】
2009533569.tif 000038
【図２５】
2009533569.tif 000039
【図２６】
2009533569.tif 000040
【図２７】
2009533569.tif 000041
【国際調査報告】
2009533569.tif 000042
2009533569.tif 000043